(57)【要約】  １つの観点において、ワイヤレスデバイスは、第１のサブフレームインターバルにおいて、基地局からの第１のデータ送信信号を受信し、後続のサブフレームインターバルにおいて、上記後続のサブフレームインターバルの範囲内で可能な最大送信時間長よりも小さい時間長の範囲内で、上記基地局へ、ＨＡＲＱフィードバック及び／又はＣＳＩを送信する。他の観点において、基地局は、第１のサブフレームインターバルにおいて、ワイヤレスデバイスへ第１のデータ送信信号を送信し、後続のサブフレームインターバルにおいて、上記後続のサブフレームインターバルの範囲内で可能な最大送信時間長よりも小さい時間長の範囲内で、上記ワイヤレスデバイスから、ＨＡＲＱフィードバック及び／又はＣＳＩを受信する。【選択図】図１７
2018514972.tif 000002
【特許請求の範囲】
【請求項１】
第１のワイヤレスデバイス（５０）における方法（１７００）であって、
第１のサブフレームインターバルにおいて、第２のワイヤレスデバイス（３０）からの第１のデータ送信信号を受信すること（１７１０）と、
後続のサブフレームインターバルにおいて、前記後続のサブフレームインターバルの範囲内で可能な最大送信時間長よりも小さい時間長の範囲内で、前記第２のワイヤレスデバイス（３０）へ、ハイブリッド自動再送要求（ＨＡＲＱ）フィードバック及び／又はチャネル状態情報（ＣＳＩ）を送信すること（１７２０）と、
を含む方法（１７００）。
【請求項２】
前記第１のデータ送信信号は、前記第１のサブフレームインターバルの範囲内で可能な最大データ送信時間長よりも小さい時間長の範囲内で受信される、請求項１の方法（１７００）。
【請求項３】
予め決定されるサブフレームインターバルの長さは、１ミリ秒であり、１４個の直交周波数分割多重（ＯＦＤＭ）シンボルからなる、請求項１又は請求項２の方法（１７００）。
【請求項４】
前記ＨＡＲＱフィードバック及び／又はＣＳＩの前記送信は、前記後続のサブフレームインターバル内の２つのスロットのうち厳密に１つのスロットを占める、請求項１〜３のいずれかの方法（１７００）。
【請求項５】
前記ＨＡＲＱフィードバック及び／又はＣＳＩを送信すること（１７２０）は、
ＨＡＲＱデータの１つ又は２つのビットを複素値形式の数へ変換することと、
サイクリックシフトされる長さ１２のシーケンスを用いて、１２本のサブキャリアにわたって前記複素値形式の数を拡散して、１２個の複素数の配列を形成することと、
前記１２個の複素数の配列を、１２本のサブキャリアの４つのシングルキャリア周波数分割多重アクセス（ＳＣ−ＦＤＭＡ）シンボルへ、長さ４の直交拡散コードを用いて拡散することと、
前記４つのＳＣ−ＦＤＭＡシンボルを２つのスロットのうちの前記１つのスロットのシンボルへマッピングすることと、
を含む、請求項４の方法（１７００）。
【請求項６】
前記ＨＡＲＱフィードバック及び／又はＣＳＩを送信すること（１７２０）は、
チャネルコードを用いて、複数のＨＡＲＱビット及び／又はＣＳＩビットを１０個のビットへ符号化することと、
符号化された前記ビットをスクランブリングすることと、
スクランブリングされた符号化された前記ビットを、四位相偏移変調（ＱＰＳＫ）変調法を用いて変調して、５つのＱＰＳＫシンボルを形成することと、
前記５つのＱＰＳＫシンボルの各々をサイクリックシフトされる長さ１２のシーケンスと乗算して、１２個のＱＰＳＫシンボルの５つの配列を取得することと、
１２個のＱＰＳＫシンボルの前記５つの配列の各々を、２つのスロットのうちの前記１つのスロットの、対応するシングルキャリア周波数分割多重アクセス（ＳＣ−ＦＤＭＡ）シンボルへマッピングすることと、
を含む、請求項４の方法（１７００）。
【請求項７】
１つ又は２つのＨＡＲＱビットを複素数へ変換することと、
前記複素数を用いて、復調リファレンスシンボル（ＤＭＲＳ）シーケンスを生成することと、
生成される前記ＤＭＲＳシンボルシーケンスからのシンボルを、２つのスロットのうちの前記１つのスロットの、２つのＳＣ−ＦＤＭＡシンボルへマッピングすることと、
をさらに含む、請求項６の方法（１７００）。
【請求項８】
前記ＨＡＲＱフィードバック及び／又はＣＳＩを送信すること（１７２０）は、
チャネルコードを用いて、複数のＨＡＲＱフィードバックビット及び／又はＣＳＩビットを２４個のビットへ符号化することと、
符号化された前記ビットをスクランブリングし、及び、スクランブリングされた符号化された前記ビットを四位相偏移変調（ＱＰＳＫ）変調法を用いて変調して、１２個のＱＰＳＫシンボルを形成することと、
前記１２個のＱＰＳＫシンボルを離散フーリエ変換（ＤＦＴ）プリコーダへ入力して、ＤＦＴ拡散ＯＦＤＭ（ＤＦＴＳ−ＯＦＤＭ）シンボルを形成することと、
長さ５の直交拡散シーケンスを用いて前記ＯＦＤＭシンボルを拡散して、５つのＤＦＴＳ−ＯＦＤＭシンボルを形成することと、
２つのスロットのうちの前記１つのスロットのＯＦＤＭシンボルにおいて、前記５つのＤＦＴＳ−ＯＦＤＭシンボルを送信することと、
を含む、請求項４の方法（１７００）。
【請求項９】
前記後続のサブフレームインターバルは、複数の送信シンボルからなり、前記ＨＡＲＱフィードバック及び／又はＣＳＩの前記送信は、前記後続のサブフレームインターバル内の前記送信シンボルのうちの全てではないいくつかを占める、請求項１〜３のいずれかの方法（１７００）。
【請求項１０】
前記後続のサブフレームインターバルは、２つのスロットからなり、各スロットは、複数の送信シンボルを含み、前記ＨＡＲＱフィードバック及び／又はＣＳＩの前記送信は、前記２つのスロットのうちの１つのスロットへ制限され、前記２つのスロットのうちの前記１つのスロット内の前記送信シンボルのうちの全てではないいくつかを占める、請求項９の方法（１７００）。
【請求項１１】
前記ＨＡＲＱフィードバック及び／又はＣＳＩを送信すること（１７２０）は、
ＨＡＲＱデータの１つ又は２つのビットを複素値形式の数へ変換することと、
サイクリックシフトされる長さ１２のシーケンスを用いて、１２本のサブキャリアにわたって前記複素値形式の数を拡散して、１２個の複素数の配列を形成することと、
前記１２個の複素数の配列を、１２本のサブキャリアの２つ以上のシングルキャリア周波数分割多重アクセス（ＳＣ−ＦＤＭＡ）シンボルへ、直交拡散コードを用いて拡散することと、
前記２つ以上のＳＣ−ＦＤＭＡシンボルを前記後続のサブフレームインターバルのシンボルへマッピングすることと、
を含む、請求項９又は請求項１０の方法（１７００）。
【請求項１２】
前記ＨＡＲＱフィードバック及び／又はＣＳＩを送信すること（１７２０）は、
１つ又は２つのＨＡＲＱビットを複素数へ変換することと、
前記複素数を用いて、復調リファレンスシンボル（ＤＭＲＳ）シーケンスを生成することと、
生成される前記ＤＭＲＳシンボルシーケンスからのシンボルを、前記後続のサブフレームインターバルの１つ以上の直交的なシングルキャリア周波数分割多重アクセス（ＳＣ−ＦＤＭＡ）シンボルへマッピングすることと、
を含む、請求項９又は請求項１０の方法（１７００）。
【請求項１３】
前記ＨＡＲＱフィードバック及び／又はＣＳＩを送信すること（１７２０）は、
チャネルコードを用いて、複数のＨＡＲＱフィードバックビット及び／又はＣＳＩビットを２４個のビットへ符号化することと、
符号化された前記ビットをスクランブリングし、及び、スクランブリングされた符号化された前記ビットを四位相偏移変調（ＱＰＳＫ）変調法を用いて変調して、１２個のＱＰＳＫシンボルを形成することと、
前記１２個のＱＰＳＫシンボルを離散フーリエ変換（ＤＦＴ）プリコーダへ入力して、ＯＦＤＭシンボルを形成することと、
直交拡散シーケンスを用いて前記ＯＦＤＭシンボルを拡散して、２つ以上の拡散ＯＦＤＭシンボルを形成することと、
前記後続のサブフレームインターバルのＯＦＤＭシンボルにおいて、前記２つ以上の拡散ＯＦＤＭシンボルを送信することと、
を含む、請求項９又は請求項１０の方法（１７００）。
【請求項１４】
前記ＨＡＲＱフィードバック及び／又はＣＳＩを送信すること（１７２０）は、２つの互いに素な周波数リソース領域を用いて同時にＨＡＲＱフィードバック情報及び／又はＣＳＩ情報を送信すること、を含む、請求項１〜４、８〜１０及び１３のいずれかの方法（１７００）。
【請求項１５】
前記方法（１７００）は、前記第１のデータ送信信号についての１つ以上のＨＡＲＱフィードバックビットを、前記第１のワイヤレスデバイス（５０）により受信される第２のデータ送信信号についての１つ以上の追加的なＨＡＲＱフィードバックビットとバンドリングすること、を含む、請求項１〜１４のいずれかの方法（１７００）。
【請求項１６】
前記第２のデータ送信信号は、前記第１のサブフレームインターバル以外のサブフレームインターバルにおいて受信され、又は、前記第１のサブフレームインターバルの、前記第１のデータ送信信号が受信される部分とは異なる部分において受信される、請求項１５の方法（１７００）。
【請求項１７】
前記第２のデータ送信信号は、前記第１のデータ送信信号のために使用されるものとは異なる無線アクセス技術（ＲＡＴ）を用いて、前記第１のワイヤレスデバイス（５０）により受信される、請求項１５の方法（１７００）。
【請求項１８】
第１のワイヤレスデバイス（３０）における方法（１８００）であって、
第１のサブフレームインターバルにおいて、第２のワイヤレスデバイス（５０）へ第１のデータ送信信号を送信すること（１８１０）と、
後続のサブフレームインターバルにおいて、前記後続のサブフレームインターバルの範囲内で可能な最大送信時間長よりも小さい時間長の範囲内で、前記第２のワイヤレスデバイス（５０）から、ハイブリッド自動再送要求（ＨＡＲＱ）フィードバック及び／又はチャネル状態情報（ＣＳＩ）を受信すること（１８２０）と、
を含む方法（１８００）。
【請求項１９】
前記第１のデータ送信信号は、前記第１のサブフレームインターバルの範囲内で可能な最大データ送信時間長よりも小さい時間長の範囲内で送信される、請求項１８の方法（１８００）。
【請求項２０】
前記後続のサブフレームインターバルの長さは、前記第２のワイヤレスデバイス（５０）への送信のためのスケジューリング情報が前記第１のワイヤレスデバイス（３０）と前記第２のワイヤレスデバイス（５０）との間で交換されるインターバルに相当する、請求項１８又は請求項１９の方法（１８００）。
【請求項２１】
受信される前記ＨＡＲＱフィードバック及び／又はＣＳＩは、前記後続のサブフレームインターバルの２つのスロットのうち厳密に１つのスロットを占める、請求項１８〜２０のいずれかの方法（１８００）。
【請求項２２】
前記ＨＡＲＱフィードバック及び／又はＣＳＩを受信すること（１８２０）は、
２つのスロットのうちの前記１つのスロットのシンボルから、１２本のサブキャリアの４つのシングルキャリア周波数分割多重アクセス（ＳＣ−ＦＤＭＡ）シンボルをデマッピングすることと、
前記４つのＳＣ−ＦＤＭＡシンボルから、長さ４の直交拡散コードを用いて、１２個の複素数の配列を逆拡散することと、
サイクリックシフトされる長さ１２のシーケンスを用いて、前記１２個の複素数の配列から、複素値形式の数を逆拡散することと、
前記複素値形式の数をＨＡＲＱデータの１つ又は２つのビットへ変換することと、
を含む、請求項２１の方法（１８００）。
【請求項２３】
前記ＨＡＲＱフィードバック及び／又はＣＳＩを受信すること（１８２０）は、
２つのスロットのうちの前記１つのスロットの、対応するシングルキャリア周波数分割多重アクセス（ＳＣ−ＦＤＭＡ）シンボルから、１２個の四位相偏移変調（ＱＰＳＫ）シンボルの５つの配列の各々をデマッピングすることと、
前記１２個のＱＰＳＫシンボルの５つの配列の各々をサイクリックシフトされる長さ１２のシーケンスで除算して、５つのＱＰＳＫシンボルを取得することと、
四位相偏移変調（ＱＰＳＫ）変調法を用いて、前記５つのＱＰＳＫシンボルを復調して、１０個のスクランブリングされた符号化されたビットのセットを取得することと、
前記スクランブリングされた符号化されたビットを逆スクランブリングして、１０個の符号化されたビットを取得することと、
前記１０個の符号化されたビットを復号して、複数のＨＡＲＱビット及び／又はＣＳＩビットを取得することと、
を含む、請求項２１の方法（１８００）。
【請求項２４】
２つのスロットのうちの前記１つのスロットの２つのＯＦＤＭシンボルから、復調リファレンスシンボル（ＤＭＲＳ）シンボルのシーケンスをデマッピングすることと、
ＤＭＲＳシンボルの前記シーケンスを用いて、複素数を取得することと、
前記複素数を１つ又は２つのＨＡＲＱビットへ変換することと、
をさらに含む、請求項２３の方法（１８００）。
【請求項２５】
前記ＨＡＲＱフィードバック及び／又はＣＳＩを受信すること（１８２０）は、
２つのスロットのうちの前記１つのスロットのＯＦＤＭシンボルにおいて、５つの拡散直交周波数分割多重（ＯＦＤＭ）シンボルを受信することと、
長さ５の直交拡散シーケンスを用いて前記５つの拡散ＯＦＤＭシンボルを逆拡散して、逆拡散ＯＦＤＭシンボルを取得することと、
前記ＯＦＤＭシンボルから、逆離散フーリエ変換（ＩＤＦＴ）を用いて、１２個の四位相偏移変調（ＱＰＳＫ）シンボルを取得することと、
前記１２個のＱＰＳＫシンボルを復調して２４個のスクランブリングされた符号化されたビットを取得し、及び、前記スクランブリングされた符号化されたビットを逆スクランブリングして２４個の符号化されたビットを取得することと、
前記２４個の符号化されたビットを復号して、複数のＨＡＲＱフィードバックビット及び／又はＣＳＩビットを取得することと、
を含む、請求項２１の方法（１８００）。
【請求項２６】
前記後続のサブフレームインターバルは、複数の送信シンボルからなり、受信される前記ＨＡＲＱフィードバック及び／又はＣＳＩは、前記後続のサブフレームインターバルの前記送信シンボルのうちの全てではないいくつかを占める、請求項１８〜２０のいずれかの方法（１８００）。
【請求項２７】
前記後続のサブフレームインターバルは、２つのスロットからなり、各スロットは、複数の送信シンボルを含み、前記ＨＡＲＱフィードバック及び／又はＣＳＩの前記送信は、前記２つのスロットのうちの１つのスロットへ制限され、前記２つのスロットのうちの前記１つのスロット内の前記送信シンボルのうちの全てではないいくつかを占める、請求項２６の方法（１８００）。
【請求項２８】
前記ＨＡＲＱフィードバック及び／又はＣＳＩを受信すること（１８２０）は、
２つのスロットのうちの前記１つのスロットのシンボルから、１２本のサブキャリアの２つ以上のシングルキャリア周波数分割多重アクセス（ＳＣ−ＦＤＭＡ）シンボルをデマッピングすることと、
前記２つ以上のＳＣ−ＦＤＭＡシンボルから、直交拡散コードを用いて、１２個の複素数の配列を逆拡散することと、
サイクリックシフトされる長さ１２のシーケンスを用いて、前記１２個の複素数の配列から、複素値形式の数を逆拡散することと、
前記複素値形式の数をＨＡＲＱデータの１つ又は２つのビットへ変換することと、
を含む、請求項２６又は請求項２７の方法（１８００）。
【請求項２９】
前記ＨＡＲＱフィードバック及び／又はＣＳＩを受信すること（１８２０）は、
前記後続のサブフレームインターバルの１つ以上のシングルキャリア周波数分割多重アクセス（ＳＣ−ＦＤＭＡ）シンボルから、復調リファレンスシンボル（ＤＭＲＳ）シンボルシーケンスをデマッピングすることと、
デマッピングされた前記ＤＭＲＳシンボルシーケンスを用いて、複素数を取得することと、
前記複素数を１つ又は２つのＨＡＲＱビットへ変換することと、
を含む、請求項２６又は請求項２７の方法（１８００）。
【請求項３０】
前記ＨＡＲＱフィードバック及び／又はＣＳＩを受信すること（１８２０）は、
２つのスロットのうちの前記１つのスロットのＯＦＤＭシンボルにおいて、２つ以上の拡散直交周波数分割多重（ＯＦＤＭ）シンボルを受信することと、
直交拡散シーケンスを用いて前記２つ以上の拡散ＯＦＤＭシンボルを逆拡散して、逆拡散されたＯＦＤＭシンボルを取得することと、
逆離散フーリエ変換（ＩＤＦＴ）を用いて、前記ＯＦＤＭシンボルから１２個の四位相偏移変調（ＱＰＳＫ）シンボルを取得することと、
前記１２個のＱＰＳＫシンボルを復調して２４個のスクランブリングされた符号化されたビットを取得し、及び、前記スクランブリングされた符号化されたビットを逆スクランブリングして２４個の符号化されたビットを取得することと、
前記２４個の符号化されたビットを復号して、複数のＨＡＲＱフィードバックビット及び／又はＣＳＩビットを取得することと、
を含む、請求項２６又は請求項２７の方法（１８００）。
【請求項３１】
前記ＨＡＲＱフィードバック及び／又はＣＳＩを受信すること（１８２０）は、２つの互いに素な周波数リソース領域の各々から同時にＨＡＲＱフィードバック情報及び／又はＣＳＩ情報を受信すること、を含む、請求項１８〜２１、２５〜２７及び３０のいずれかの方法（１８００）。
【請求項３２】
前記方法は、受信される前記ＨＡＲＱフィードバック及び／又はＣＳＩから、前記第１のデータ送信信号についての１つ以上のＨＡＲＱフィードバックビットと、前記第２のワイヤレスデバイス（５０）へ送信される第２のデータ送信信号についての１つ以上の追加的なＨＡＲＱフィードバックビットとを逆バンドリングすること、をさらに含む、請求項１８〜３１のいずれかの方法（１８００）。
【請求項３３】
前記第２のデータ送信信号は、前記第１のサブフレームインターバル以外のサブフレームインターバルにおいて送信され、又は、前記第１のサブフレームインターバルの、前記第１のデータ送信信号が受信される部分とは異なる部分において送信される、請求項３２の方法（１８００）。
【請求項３４】
前記第２のデータ送信信号は、前記第１のデータ送信信号のために使用されるものとは異なる無線アクセス技術（ＲＡＴ）を用いて、前記第２のワイヤレスデバイス（５０）へ送信される、請求項３２の方法（１８００）。
【請求項３５】
請求項１〜３４の方法（１７００，１８００）のいずれかを遂行するように適合されるワイヤレスデバイス装置。
【請求項３６】
前記ワイヤレスデバイス装置は、基地局（３０）である、請求項３５のワイヤレスデバイス装置。
【請求項３７】
前記ワイヤレスデバイス装置は、ユーザ機器（５０）である、請求項３５のワイヤレスデバイス装置。
【請求項３８】
送受信機回路（３６，５６）及び処理回路（３２，５２）を含み、前記処理回路（３２，５２）は、前記送受信機回路（３６，５６）を用いて請求項１〜３４の方法（１７００，１８００）のいずれかを遂行するように構成される、ワイヤレスデバイス装置。
【請求項３９】
前記ワイヤレスデバイス装置は、基地局（３０）である、請求項３８のワイヤレスデバイス装置。
【請求項４０】
前記ワイヤレスデバイス装置は、ユーザ機器（５０）である、請求項３８のワイヤレスデバイス装置。
【請求項４１】
ワイヤレスデバイス（３０，５０）内の処理回路（３２，５２）により実行された場合に、前記ワイヤレスデバイス（３０，５０）に請求項１〜３４の方法（１７００，１８００）のいずれかを遂行させるプログラム命令、を含むコンピュータプログラムプロダクト（４６，６６）。
【請求項４２】
記憶される請求項４１のコンピュータプログラムプロダクト（４６，６６）を含む、非一時的なコンピュータ読取可能な媒体（４４，６４）。
【請求項４３】
第１のサブフレームインターバルにおいて、第２のワイヤレスデバイス（３０）からの第１のデータ送信信号を受信するための受信モジュール（２２０２）と、
後続のサブフレームインターバルにおいて、前記後続のサブフレームインターバルの範囲内で可能な最大送信時間長よりも小さい時間長の範囲内で、前記第２のワイヤレスデバイス（３０）へ、ハイブリッド自動再送要求（ＨＡＲＱ）フィードバック及び／又はチャネル状態情報（ＣＳＩ）を送信するための送信モジュール（２２０６）と、
を備える第１のワイヤレスデバイス（５０）。
【請求項４４】
第１のサブフレームインターバルにおいて、第２のワイヤレスデバイス（５０）へ第１のデータ送信信号を送信するための送信モジュール（２１０２）と、
後続のサブフレームインターバルにおいて、前記後続のサブフレームインターバルの範囲内で可能な最大送信時間長よりも小さい時間長の範囲内で、前記第２のワイヤレスデバイス（５０）から、ハイブリッド自動再送要求（ＨＡＲＱ）フィードバック及び／又はチャネル状態情報（ＣＳＩ）を受信するための受信モジュール（２１０６）と、
を備える第１のワイヤレスデバイス（３０）。
【発明の詳細な説明】
【技術分野】
【０００１】
本出願は、概して、ワイヤレス通信システムに関し、より具体的には、データ送信がサブフレームよりも小さい時間長に対してスケジューリングされるシステムにおけるＨＡＲＱ（hybrid  Automatic  Repeat  Request）送信に関する。
【背景技術】
【０００２】
エラー制御のために、３ＧＰＰ（3rd-Generation  Partnership  Project）のメンバにより標準化された“Long-Term  Evolutionとして知られる第４世代（４Ｇ）ワイヤレスシステムは、ハイブリッドＡＲＱ（hybrid-ARQ）を使用する。サブフレーム内でダウンリンクデータを受信した後、モバイル端末は、その復号を試行し、物理アップリンク制御チャネル（ＰＵＣＣＨ）を介して基地局へ復号が成功したか（ＡＣＫ）否か（ＮＡＣＫ）をレポートする。復号試行が失敗した場合、基地局（ｅＮｏｄｅＢ又はｅＮＢ）は、エラーのあったデータを再送することができる。同様に、基地局は、物理アップリンク共有チャネル（ＰＵＳＣＨ）の復号が成功したか（ＡＣＫ）否か（ＮＡＣＫ）を物理ハイブリッドＡＲＱインジケータチャネル（ＰＨＩＣＨ）を介してモバイル端末へ指し示すことができる。
【０００３】
モバイル端末から基地局へ送信されるハイブリッドＡＲＱ  ＡＣＫ／ＮＡＣＫ情報に加えて、モバイル端末から基地局へのアップリンク制御シグナリングは、概してチャネル状態情報（ＣＳＩ）又はチャネル品質情報（ＣＱＩ）として言及される、ダウンリンクチャネル条件に関するレポートをも含む。このＣＳＩ／ＣＱＩは、ダウンリンクリソースのスケジューリング決定を支援するために基地局により使用される。ＬＴＥシステムはダウンリンク及びアップリンクリソースの双方の動的なスケジューリングに依拠していることから、アップリンク制御チャネル情報はスケジューリングリクエストをも含み、スケジューリングリクエストは、モバイル端末により、アップリンクデータ送信のためにアップリンクトラフィックチャネルリソースを必要としていることを指し示すために送信される。
【０００４】
パケットデータのレイテンシは、ベンダ及び事業者が、並びに（スピードテストアプリケーションを介して）エンドユーザもまた通常測定する性能メトリックのうちの１つである。レイテンシ測定は、例えば、新たなソフトウェアのリリース又はシステムコンポーネントを検証する際、システムを配備する際、及びシステムが商用運用中である際など、無線アクセスネットワークのシステムライフタイムの全てのフェーズで行われる。
【０００５】
３ＧＰＰ無線アクセス技術（ＲＡＴ）の前の世代と比較して改善されたレイテンシが、ＬＴＥの設計を導いた１つの性能メトリックであった。ＬＴＥは、そのエンドユーザにより、モバイル無線技術の前の世代よりも高速なインターネットへのアクセス及びより小さいデータレイテンシを提供するシステムであると今や認識されている。
【０００６】
パケットデータレイテンシは、システムの感知される応答性のために重要であるのみならず、システムのスループットへ間接的に影響するパラメータでもある。ＨＴＴＰ／ＴＣＰは、今日インターネット上で使用されている優勢なアプリケーション及びトランスポートレイヤプロトコルスイートである。ＨＴＴＰアーカイブ（(http://httparchive.org/trends.php）によれば、インターネット上のＨＴＴＰベースのトランザクションの典型的なサイズは、２〜３０キロバイトから１メガバイトまでの範囲内である。このサイズの範囲内で、ＴＣＰ（Transport  Control  Protocol）のスロースタートピリオドは、パケットストリームの合計トランスポートピリオドのうちの相当な部分である。ＴＣＰスロースタートの期間中に、性能はレイテンシ面で制限される。よって、このタイプのＴＣＰベースのデータトランザクションについて、平均スループットを改善するために、改善されたレイテンシをむしろ容易に示すことができる。
【０００７】
レイテンシの削減によって、無線リソース効率に好影響を与えることもできる。パケットデータのレイテンシがより低ければ、ある遅延限度の範囲内で可能な送信の回数を増やすことができ、よって、より高いブロックエラーレート（ＢＬＥＲ）目標をデータ送信のために使用することができ、それにより無線リソースの自由度が高まり、潜在的にシステムのキャパシティが改善される。また留意すべきこととして、データトランスポートの低減されたレイテンシは、上位レイヤの制御シグナリングのより早いトランスポートに起因して、呼セットアップ／ベアラセットアップのような無線制御プレーン手続をも間接的により高速にし得る。
【０００８】
感知される体験上の品質の向上という観点において、低減されたレイテンシにより好影響を受けることになるいくつかの現行のアプリケーションが存在する。例は、ゲーミング及びＶｏＬＴＥ／ＯＴＴ  ＶｏＩＰ（Voice  over  LTE/Over-the-top  voice  over  IP）のようなリアルタイムアプリケーション、並びにマルチパーティのビデオ会議である。将来には、より遅延に対しクリティカルな複数の新たなアプリケーションが存在するであろう。例は、車両の遠隔制御／運転、例えばスマート眼鏡での拡張現実アプリケーション、又は低レイテンシを要する特定のマシン通信であり得る。
【０００９】
ＬＴＥは、無線アクセスネットワーク制御及びスケジューリングに基づく無線アクセス技術である。これら事実は、データの伝送が下位レイヤの制御シグナリングのラウンドトリップを必要とすることから、レイテンシ性能に影響する。その下位レイヤの制御シグナリングの一例が図１に示されている。Ｔ０において、上位レイヤによりデータが生成される。そして、ユーザ機器（ＵＥ）は、データをネットワークへ送信するためのリソースを取得するために、ｅＮＢへスケジューリングリクエスト（ＳＲ）を送信する。ｅＮＢは、そのＳＲを処理し、アップリンクリソースのグラントで応答する。その後、図中のＴ６に示したように、データトランスファが開始し得る。
【００１０】
パケットレイテンシの低減を想起すると、解決すべき１つの領域は、例えば送信時間インターバル（ＴＴＩ）の長さを解決することによる、データ及び制御シグナリングのトランスポート時間の低減、及び、例えばＵＥがグラント信号を処理するために掛かる時間を低減することによる、制御シグナリングの処理時間の低減である。
【発明の概要】
【００１１】
処理中の端末受信機にとってレイテンシを低減する１つの手法は、例えば、１サブフレームという現行の送信時間インターバル（ＴＴＩ）よりも短いＬＴＥでの物理ダウンリンク共有チャネル（ＰＤＳＣＨ）上の送信のような、ダウンリンク送信を可能とすることであり、例えばそれは、１ＬＴＥサブフレーム内のＰＤＳＣＨへ割り当てられるＯＦＤＭ（orthogonal  frequency-division  multiplexing）シンボル群の全てよりも少ないいくつかを占める。それらダウンリンク送信は、準サブフレーム（ＳＳＦ：sub-subframe）送信として言及されてもよい。ＳＳＦ送信に伴って可能となるレイテンシの恩恵を十分に可能にする形でそれら準サブフレーム（ＳＳＦ）ダウンリンク送信に対して確認応答を行うことは、しかしながら、アップリンクリソース割り当て及びアップリンク制御チャネルの修正を要する。例えば、ＬＴＥ  ＰＵＣＣＨは、１ｍｓのアップリンクサブフレームよりも小さい部分を占める必要がある。短縮されたアップリンクＰＵＣＣＨフォーマットに加えて、リソース割り当て及び多重化は、ＬＴＥにおける現行のＰＵＣＣＨ構造との後方互換性を維持しながら、ｓＰＤＳＣＨを使用するダウンリンク送信に対して確認応答を行う課題を解決することができる。組み合わせであっても個別にであっても、ここで説明される多様な実施形態は、１ミリ秒のタイミングでのサブフレームと、例えば０．５ミリ秒のタイミングでのＳＳＦとの同時使用を可能にするシステムにおいて、レガシーＵＥ及び新たなＵＥの双方が同じやり方でＰＵＣＣＨを使用するような形で使用され得る。これにより、ＵＥ設計及びネットワーク設計が簡素化される。
【００１２】
いくつかの実施形態によれば、第１のサブフレームにおいてデータ送信信号を受信し後続のサブフレームにおいてその送信に対しＡＣＫ／ＮＡＣＫフィードバックで確認応答を行うワイヤレスデバイスにおける方法は、第１のサブフレームインターバルにおいて、第２のワイヤレスデバイスからの第１のデータ送信信号を受信することと、後続のサブフレームインターバルにおいて、上記後続のサブフレームインターバルの範囲内で可能な最大送信時間長よりも小さい時間長の範囲内で、上記第２のワイヤレスデバイスへ、ＨＡＲＱフィードバック及び／又はＣＳＩを送信することと、を含む。例えば、ＨＡＲＱフィードバック及び／又はＣＳＩは、上記後続のサブフレームのＴＴＩよりも小さいダウンリンクリソースのＳＳＦ割り当てを用いて、ＬＴＥ  ＵＥにより送信されてもよい。このＳＳＦ割り当ては、例えば上記後続のサブフレーム内の２つのスロットのうちの１つであってもよい。
【００１３】
いくつかの実施形態によれば、第１のサブフレームにおいてデータ送信信号を送信し後続のサブフレームにおいて受信されるＡＣＫ／ＮＡＣＫフィードバックとしてその送信に対する確認応答を受信するワイヤレスデバイスにおける方法は、第１のサブフレームインターバルにおいて、第２のワイヤレスデバイスへ第１のデータ送信信号を送信することと、後続のサブフレームインターバルにおいて、上記後続のサブフレームインターバルの範囲内で可能な最大送信時間長よりも小さい時間長の範囲内で、上記第２のワイヤレスデバイスから、ＨＡＲＱフィードバック及び／ＣＳＩを受信することと、を含む。上記ワイヤレスデバイスは、ＬＴＥ  ｅＮｏｄｅＢであってもよい。
【００１４】
いくつかの実施形態によれば、ワイヤレスデバイスは、これら方法のいずれかを実行するように構成される送受信機回路及び処理回路を有する。上述した方法のバリエーションに加えて、対応する装置、コンピュータプログラムプロダクト、コンピュータ読取可能な媒体及び機能的な実装が、以下に詳しく説明される。よって、開示される技法は上で要約した特徴及び利点に限定されない。実際、当業者は、以下の詳細な説明を読み、添付図面を閲覧すれば、追加的な特徴及び利点を認識するであろう。
【図面の簡単な説明】
【００１５】
【図１】ＬＴＥシステムにおけるスケジューリングリクエストのための制御信号タイミングの一例を示している。
【図２】ＬＴＥシステムのダウンリンクにおける準サブフレームリソース割り当ての例を示している。
【図３】モバイル通信システムの一例を示している。
【図４】ＯＦＤＭを使用するモバイル通信システムのための時間−周波数リソースのグリッドを示している。
【図５】ＬＴＥ信号の時間ドメイン構造を示している。
【図６】ＬＴＥ向けのリリース８標準に係るアップリンクサブフレームにおけるＰＵＣＣＨリソースの位置を示している。
【図７】ＰＵＣＣＨフォーマット２に係るチャネル状態情報の符号化及び変調を示している。
【図８】ＰＵＣＣＨフォーマット３に係る複数のＡＣＫ／ＮＡＣＫビットの符号化及び変調を示している。
【図９】１１ビットまでのためのＰＵＣＣＨフォーマット３の符号化及び多重化を示している。
【図１０】１２〜２１ビットのためのＰＵＣＣＨフォーマット３の符号化及び多重化を示している。
【図１１】現行のＬＴＥ標準に係るＰＵＣＣＨ領域を示している。
【図１２】レガシーシステムにおけるＡＣＫ／ＮＡＣＫフィードバックのタイミングを示している。
【図１３】スロットベースのダウンリンク及びスロットベースのアップリンクを使用する実装例におけるＡＣＫ／ＮＡＣＫフィードバックのタイミングを示している。
【図１４】いくつかの実施形態に係る、影響の最も小さいスロットベースのｓＰＵＣＣＨ解決策の一例を示している。
【図１５】いくつかの実施形態に係る、周波数ドメインダイバーシティを伴うシングルキャリア（ＳＣ）短縮ＰＵＣＣＨ割り当ての一例を示している。
【図１６】ダウンリンクがアップリンクよりも精細な送信粒度を有するシナリオを示している。
【図１７】いくつかの実施形態に係る、例示的な方法を示す処理フロー図である。
【図１８】いくつかの実施形態に係る、他の例示的な方法を示す処理フロー図である。
【図１９】いくつかの実施形態に係る、例示的な基地局を示している。
【図２０】いくつかの実施形態に係る、例示的なＵＥを示している。
【図２１】いくつかの実施形態に係る、ワイヤレスデバイスの機能図である。
【図２２】いくつかの実施形態に係る、他の例示的なワイヤレスデバイスの機能図である。
【発明を実施するための形態】
【００１６】
上で注記したように、パケットレイテンシの低減を想起すると、解決すべき１つの領域は、例えば送信時間インターバル（ＴＴＩ）の長さを解決することによる、データ及び制御シグナリングのトランスポート時間の低減、及び、例えばＵＥがグラント信号を処理するために掛かる時間を低減することによる、制御シグナリングの処理時間の低減である。
【００１７】
典型的なＵＥ設計において、ＵＥは、あるサブフレームの処理が開始される前に、そのサブフレームの全体を受信する。チャネル推定の目的のために、後に続くサブフレームからのセル固有リファレンスシンボル（ＣＲＳ）を何らかの先読みで取得することがあり得るが、これは１つ又は若干のシンボル分の遅延を取り入れることになる。そして、受信されるサブフレーム内のシンボルの復調及びスロット値の生成が行われ、ターボ復号がそれに続く。これら動作のために要する時間は、概して受信されるトランスポートブロックのサイズに依存し、ＵＥの処理チェーンは、最悪のケースのシナリオでの受信を可能にするように設計され、最悪のケースのシナリオとは即ち、恐らくは複数の統合されるコンポーネントキャリアの各々について、最大サイズの割り当て及び最も複雑な変調法及びコードレートを包含する。さらに、ＵＥは、最大のタイミングアドバンス値により与えられる通りの追加的なマージンと共にそれらブロックの全てについて処理を完遂する必要がある。タイミングアドバンスは、異なる複数のＵＥからの信号をｅＮｏｄｅＢにて同様の時間インスタンスに到着させるためにネットワークから構成されるものであり、大規模なセルサイズについては、タイミングアドバンスは、約１００キロメートルというセル半径の場合の無線信号のラウンドトリップ時間に対応する、０．７ミリ秒までの値として特定され得る。
【００１８】
データの復号に関連付けられるレイテンシを低減するための１つの手法は、チャネル推定器を変更し、先読みのような形を採用しないことである。その場合、チャネル推定はより早期に利用可能であり、復調及び復号をより早期に開始することが可能となる。同様に、ターボ復号のために必要な時間はコードブロックサイズに依存することから、コードブロックサイズを低減することによりレイテンシをさらに低減することができる。よって、コードブロックサイズ（又は等価的にトランスポートブロックサイズ）が低減されると、（並列的なデコーダの数の観点での、所与の復号ケイパビリティについて）復号結果はより早期に利用可能となる。１ミリ秒ごとに一度長さ６０００ビットの単一の大きいコードブロックを送信する代わりに、システムが０．５ミリ秒ごとに２つの連続する長さ３０００ビットのブロックを送信する場合、依然としておおよそビットレートを同じ複雑さに維持しながら、各ブロックについての復号レイテンシを約半分に低減し得る。留意すべきこととして、より短いブロック長から、及び／又はチャネル推定の先読みを除去することから、ある程度の性能の劣化が予期される。概して、レイテンシと受信機性能との間のトレードオフが予期され得る。しかしながら、それらトレードオフは、システム性能又はエンドユーザ性能を必ずしも減少させる必要が無い。
【００１９】
上の受信機処理の議論を踏まえると、ＬＴＥシステムにおける１サブフレームという現行の送信時間インターバル（ＴＴＩ）よりも短いダウンリンク送信、即ち物理ダウンリンク共有チャネル（ＰＤＳＣＨ）上での送信、を可能にすることによる端末の受信機での処理についてのレイテンシを低減する機会が存在し、それは即ち、サブフレーム内のＰＤＳＣＨへ割り当てられる直交周波数分割多重（ＯＦＤＭ）シンボルの全てではないいくつかを占める。それらダウンリンク送信は、準サブフレーム（ＳＳＦ）送信として言及されてもよい。言い換えれば、ＬＴＥシステムは、１ｍｓのサブフレーム内の全てのＯＦＤＭシンボルをカバーするＰＤＳＣＨ割り当てを可能とするのみならず、サブフレーム内でより少ない数の連続するＯＦＤＭシンボルをカバーする、より短い時間長でのＰＤＳＣＨ割り当てをも有するように修正され得る。割り当ての時間長は、サブフレームごとに変化してよい。
【００２０】
このアプローチの一例が図２に示されており、ＵＥ１は、サブフレームｎにおいて、サブフレーム内のＰＤＳＣＨへ割り当てられたＯＦＤＭシンボルの全て、即ち物理ダウンリンク制御チャネル（ＰＤＣＣＨ）のために予約されるもの以外のＯＦＤＭシンボルの全て、を占める単一のトランスポートブロックを受信するように、旧来の（あるいは“レガシーの”）ダウンリンクグラントを受信している。一方で、ＵＥ２は、サブフレームｎについて２つの別個のグラントを受信しており、第１のグラントはサブフレームｎの１番目のスロット内のＰＤＳＣＨシンボルにおいて受信され、一方で他方は第２のスロットを占める。ＵＥ３及びＵＥ４は、サブフレームｎの単一のスロットにおいてダウンリンク送信信号をそれぞれ受信する。図から理解されるように、ダウンリンクリソースのグラントは、後続のサブフレーム、即ちサブフレームｎ＋１については変化し得る。
【００２１】
ＬＴＥ標準の将来のバージョンでは、端末が時間ドメインにおいてＰＤＳＣＨのために使用されるＯＦＤＭシンボルの全て（即ち、ＰＤＣＣＨ及び他の良好な信号により使用されるシンボルを除く全てのシンボル）よりもむしろサブフレーム内のＯＦＤＭシンボルのサブセットにわたるＰＤＳＣＨ割り当てを有するかもしれないことが予期される。なお、図２は、ＣＲＳ、ＣＳＩリファレンス信号（ＣＳＩ−ＲＳ）及び拡張ＰＤＣＣＨ（ＥＰＤＣＣＨ）といった既存の又は将来の信号を示していないが、これはリソース割り当てのために使用されるＯＦＤＭシンボル内の全てのリソースエレメントがデータ送信のために利用可能というわけではないかもしれないことを意味する。
【００２２】
“準サブフレーム割り当て”として言及され得るそうしたリソース割り当てを端末へ伝達することのできる複数の異なる手法が存在する。１つの手法は、ＬＴＥ向け仕様のリリース１１として３ＧＰＰにより標準化されたダウンリンク制御情報（ＤＣＩ）メッセージフォーマットの修正されたバージョンを用いて、１ミリ秒ごとに送信されるＰＤＣＣＨ制御メッセージを介することである。他の手法は、“短縮ＰＤＣＣＨ（ＳＰＤＣＣＨ）”ともいうＰＤＣＣＨの全く新たな形式を使用することであり、そのうちの１つ以上を任意の所与のサブフレーム内で送信し得る。
【００２３】
説明の目的のために、ＬＴＥシステムの文脈で複数の実施形態が説明されるであろう。しかしながら、当業者は、開示される技法の複数の実施形態がより広く、例えばＷｉＭＡＸ（ＩＥＥＥ８０２．１６）システムを含む他のワイヤレス通信システムへ適用可能であり得ることを理解するであろう。さらに、本発明のある実施形態の以下の説明がダウンリンクリソース割り当て及びアップリンクでの対応するＨＡＲＱ送信に焦点を当てることになる一方で、理解されるべきこととして、説明される技法は、逆方向に適用されてもよく、即ち、アップリンクのリソース割り当て及びデータ送信、並びに対応するダウンリンクでのＨＡＲＱ送信に適用されてもよい。同様に、同じ技法が、いくつかの実施形態において、ピアツーピア送信のために適合されてもよく、そこでは“アップリンク”あるいは“ダウンリンク”はそれ自体存在しない。
【００２４】
図３は、ワイヤレス通信サービスをモバイル端末５０へ提供するための、例示的なモバイル通信ネットワーク１２を示している。ＬＴＥの専門用語で“ユーザ機器”あるいは“ＵＥ”として言及される３つのモバイル端末５０が図３に示されている。モバイル端末５０は、例えば、セルラーフォン、ＰＤＡ（personal  digital  assistants）、スマートフォン、ラップトップコンピュータ、手持ち型コンピュータ、又はワイヤレス通信ケイパビリティを伴う他のデバイスを含んでよい。留意すべきこととして、“モバイル端末”との用語は、ここで使用されるところによれば、モバイル通信ネットワーク内で動作する端末をいい、端末自体が移動体であり又は移動可能であることを必ずしも示唆しない。よって、その用語は、何らかのマシンツーマシンアプリケーションなどにおいて固定的な構成で取り付けられる端末と共に、ポータブルデバイス、モータ車両に取り付けられるデバイスなどへの言及であってもよい。
【００２５】
モバイル通信ネットワーク１０は、複数の地理的なセルエリアあるいはセクタ１２を含む。各地理的なセルエリアあるいはセクタ１２は、基地局３０によりサービスされ、基地局３０は、ＬＴＥではＮｏｄｅＢあるいは拡張ＮｏｄｅＢ（ｅＮｏｄｅＢ）として言及される。１つの基地局３０が複数の地理的なセルエリアあるいはセクタ１２においてサービスを提供してもよい。モバイル端末５０は、１つ以上のダウンリンク（ＤＬ）チャネル上で基地局３０から信号を受信し、１つ以上のアップリンク（ＵＬ）チャネル上で基地局３０へ信号を送信する。
【００２６】
ＬＴＥは、ダウンリンクにおいて直交周波数分割多重（ＯＦＤＭ）を使用し、アップリンクにおいて離散フーリエ変換（ＤＦＴ）拡散ＯＦＤＭを使用する。基本的なＬＴＥのダウンリンク物理リソースを、時間−周波数グリッドとして見ることができる。図４は、ＬＴＥについての例示的なＯＦＤＭ時間−周波数グリッド４００の利用可能なスペクトルの一部を示している。概して言うと、時間−周波数グリッド４００は、１ミリ秒のサブフレームへと分割される。各サブフレームは、ある数のＯＦＤＭシンボルを含む。マルチパスの散乱が極端に過酷であると予期されない状況での使用に適している通常のサイクリックプレフィクス（ＣＰ）長ならば、１つのサブフレームは１４個のＯＦＤＭシンボルからなる。拡張サイクリックプレフィクスが使用される場合には、１つのサブフレームは１２個のＯＦＤＭシンボルのみを有する。周波数ドメインでは、物理リソースは、１５ｋＨｚの間隔で隣接する複数のサブキャリアへ分割される。サブキャリアの本数は、割り当てられるシステム帯域幅に従って変化する。時間−周波数グリッド４００の最小の要素は、リソースエレメントである。１つのリソースエレメントは、１つのＯＦＤＭシンボルインターバルの期間中の１本のＯＦＤＭサブキャリアからなる。
【００２７】
リソースエレメントはリソースブロックへとグループ化され、転じて、各リソースブロックは、１サブフレームの長さの等しい２つのスロットのうちの１スロットの範囲内の、１２本のＯＦＤＭサブキャリアからなる。図４は、合計で１６８個のリソースエレメントを含むリソースブロックペアを示している。
【００２８】
ダウンリンク送信は動的にスケジューリングされ、各サブフレームにおいて、基地局は、その時点のダウンリンクサブフレームについて、データの送信先のモバイル端末と、そのデータが送信されるリソースブロックとを識別する制御情報を送信する。この制御シグナリングは、典型的には、各サブフレーム内の最初の１つ、２つ、３つ又は４つのＯＦＤＭシンボルを占める制御領域において送信される。３ＯＦＤＭシンボル分の制御領域を伴うダウンリンクシステムが図４に示されている。動的なスケジューリング情報は、制御領域内で送信される物理ダウンリンク制御チャネル（ＰＤＣＣＨ）を介してＵＥへ通信される。ＰＤＣＣＨの成功裏の復号の後、ＵＥは、ＬＴＥ仕様において特定されている予め決定されたタイミングに従って、物理ダウンリンク共有チャネル（ＰＤＳＣＨ）からのトラフィックデータの受信、又は物理アップリンク共有チャネル（ＰＵＳＣＨ）上でのトラフィックデータの送信を実行する。
【００２９】
図５に示したように、ＬＴＥのダウンリンク送信は、時間ドメインにおいて１０ミリ秒の無線フレームへさらに編成され、各無線フレームは１０個のサブフレームからなる。各サブフレームは、０．５ミリ秒の時間長の２つのスロットへさらに分割され得る。さらに、ＬＴＥにおけるリソース割り当ては、リソースブロックの観点で記述されることが多く、リソースブロックは時間ドメインにおいて１つのスロット（０．５ｍｓ）、周波数ドメインにおいて１２本の連続するサブキャリアに相当する。リソースブロックは、周波数ドメインにおいて、システム帯域幅の一端からゼロで始まる形で付番される。
【００３０】
エラー制御のために、ＬＴＥはＨＡＲＱを使用し、あるサブフレーム内でダウンリンクデータを受信した後、モバイル端末は、その復号を試行し、物理アップリンク制御チャネル（ＰＵＣＣＨ）を介して基地局へ復号が成功したか（ＡＣＫ）否か（ＮＡＣＫ）をレポートする。復号試行が失敗した場合、基地局（ｅＮｏｄｅＢ）は、エラーのあったデータを再送することができる。同様に、基地局は、ＰＵＳＣＨの復号が成功したか（ＡＣＫ）否か（ＮＡＣＫ）を物理ハイブリッドＡＲＱインジケータチャネル（ＰＨＩＣＨ）を介してＵＥへ指し示すことができる。
【００３１】
モバイル端末から基地局へ送信されるハイブリッドＡＲＱ  ＡＣＫ／ＮＡＣＫ情報に加えて、モバイル端末から基地局へのアップリンク制御シグナリングは、概してチャネル状態情報（ＣＳＩ）又はチャネル品質情報（ＣＱＩ）として言及される、ダウンリンクチャネル条件に関連するレポートをも含む。このＣＳＩ／ＣＱＩは、ダウンリンクリソースのスケジューリング決定を支援するために基地局により使用される。ＬＴＥシステムはダウンリンク及びアップリンクリソースの双方の動的なスケジューリングに依拠していることから、アップリンク制御チャネル情報はスケジューリングリクエストをも含み、スケジューリングリクエストは、モバイル端末により、アップリンクデータ送信のためにアップリンクトラフィックチャネルリソースを必要としていることを指し示すために送信される。
【００３２】
ダウンリンクのキャリアアグリゲーションの無いシナリオにおいて、ＵＥは、ＰＵＳＣＨ上で送信すべきデータを有する場合、ＰＵＳＣＨ上のデータにアップリンク制御情報を多重化する。よって、ＵＥは、ＰＵＳＣＨ上で送信すべきデータを有しない場合には、このアップリンク制御情報をシグナリングするためにのみＰＵＣＣＨを使用する。従って、モバイル端末がデータ送信のためにアップリンクリソースを割り当てられていない場合、チャネルステータスレポート、ハイブリッドＡＲＱ確認応答及びスケジューリングリクエストを含むレイヤ１／レイヤ２（Ｌ１／Ｌ２）制御情報は、３ＧＰＰ仕様のリリース８（ＬＴＥリリース８）において最初に定義された物理アップリンク制御チャネル（ＰＵＣＣＨ）上でアップリンクＬ１／Ｌ２制御のために特に割り当てられたアップリンクリソース（リソースブロック）において送信される。
【００３３】
図６に示したように、それらリソースは、モバイル端末にとって使用のために利用可能なアップリンクセル帯域幅の端部に位置する。各物理制御チャネルリソースは、リソースブロックのペアから形成され、各リソースブロックは、転じて、アップリンクサブフレームの２つのスロットのうちの１つの範囲内の１２本のＯＦＤＭサブキャリアからなる。レガシーのＬＴＥシステムにおいて、周波数ダイバーシティを提供する目的で、物理制御チャネルリソースは、スロット境界上で周波数ホッピングされ、よって、ペアのうちの第１のリソースブロックはサブフレームの第１のスロット内のスペクトルの下側にあり、一方でペアのうちの第２のリソースブロックはそのサブフレームの第２のスロットの期間中のスペクトルの上側に位置する（又はその逆である）。非常に大きい全送信帯域幅が多数のユーザをサポートしているケースなど、より多くのリソースがアップリンクのＬ１／Ｌ２制御シグナリングのために必要とされる場合、前回割り当てられたリソースブロックに隣接して、追加的なリソースブロックを割り当てることができる。
【００３４】
利用可能なスペクトル全体の端部にＰＵＣＣＨリソースが位置している理由は二重である。第一に、上述した周波数ホッピングと共に、それにより、双方のリソースブロックをまたいで拡散されるように符号化され得る制御シグナリングによって経験される周波数ダイバーシティが最大化されるからである。第二に、スペクトル内の他の位置、即ちエッジではない位置のＰＵＣＣＨにアップリンクリソースを割り当てると、アップリンクスペクトルが断片化されてしまい、アップリンク送信のシングルキャリアの特性を依然として維持しながら単一のモバイル端末へ非常に広い送信帯域幅を割り当てることが困難となるからである。
【００３５】
ＵＥは、ダウンリンクＰＤＳＣＨ送信への応答として送信すべきＡＣＫ／ＮＡＣＫを有する場合、ＰＤＳＣＨリソースを当該ＵＥへ割り当てたＰＤＣＣＨ送信からどのＰＵＣＣＨリソースを使用すべきかを判定する。より具体的には、ＵＥのためのＰＵＣＣＨリソースへのインデックスが、ダウンリンクリソース割り当てを送信するために使用される最初の制御チャネルエレメントの番号から導出される。ＵＥは、送信すべきスケジューリングリクエスト又はＣＱＩを有する場合、上位レイヤシグナリングによって当該ＵＥのために予め構成された固有のＰＵＣＣＨリソースを使用する。
【００３６】
ＰＵＣＣＨが搬送すべき情報の様々なタイプに依存して、複数の異なるＰＵＣＣＨフォーマットが使用され得る。１つのサブフレームの期間中のリソースブロックのペアのデータ搬送キャパシティは、１つのモバイル端末の短期的な制御シグナリングの必要性のために通常必要とされるよりも多い。従って、制御シグナリングのために確保されたリソースを効率的に活用するために、複数のモバイル端末が同じ物理制御チャネルリソースを共用することができる。これは、複数のモバイル端末の各々に、セル固有の長さ１２の周波数ドメインシーケンスの異なる直交位相回転、及び／又は、異なる直交的な時間ドメインカバーコードを割り当てることにより行われる。符号化された制御チャネルデータへこれら周波数ドメインの回転及び／又は時間ドメインのカバーコードを割り当てることにより、ある状況において３６個までのモバイル端末が所与の物理制御チャネルリソースを共用することができる。
【００３７】
単一の物理制御チャネルリソースの制約の範囲内で、様々な量及びタイプのアップリンク制御チャネルデータを符号化するために、複数の異なる符号化フォーマットが３ＧＰＰにより開発されてきた。概してＰＵＣＣＨフォーマット１、ＰＵＣＣＨフォーマット２及びＰＵＣＣＨフォーマット３として知られているそれら複数のフォーマットは、Erik  Dahlman，Stefan  Parkvall及びJohan  Skoeldによるテキスト“4G  LTE/LTE-Advanced  for  Mobile  Broadband”（Academic  Press，Oxford  UK，2011）の第２２６〜２４２頁において詳細に説明されており、以下に簡潔に要約される。
【００３８】
［既存のＰＵＣＣＨフォーマット］
ＰＵＣＣＨリソースは、スケジューリングリクエスト（ＳＲ）、ハイブリッドＡＲＱ確認応答及びチャネル状態情報（ＣＳＩレポート）を含むアップリンク制御情報（ＵＣＩ）を搬送する。３つの異なるＰＵＣＣＨフォーマットが存在する。ＰＵＣＣＨフォーマット１、１ａ及び１ｂはＳＲ及び１つ又は２つのＨＡＲＱ  ＡＣＫ／ＮＡＣＫをそれぞれ搬送する。ＨＡＲＱフィードバックとのＳＲの多重化もまた可能である。ＰＵＣＣＨフォーマット２は、１１ビットまでの情報を搬送することができ、ＣＳＩフィードバックのために使用される。２ａ及び２ｂは、それぞれ追加的に１つ又は２つのＨＡＲＱ  ＡＣＫ／ＮＡＣＫビットを搬送し得る。ＰＵＣＣＨフォーマット３は、リリース１１において導入されていて、２２ビットまでを搬送し、ＵＣＩの３つ全てのタイプを多重化し得る。
【００３９】
ＰＵＣＣＨフォーマット１及び２は、長さ１２の周波数ドメインシーケンスの直交的な位相回転を、その割り当てを１２本のサブキャリアへ固定しながら使用する。ＰＵＣＣＨフォーマット１は、追加的に、直交カバーコードを使用する。これにより、同じＰＵＣＣＨフォーマットが使用される場合に複数のユーザをアップリンクリソースを共用するように多重化することが可能となる。ＰＵＣＣＨフォーマット１と２とを多重化することも可能であるが、いくつかの位相回転が“ガードピリオド”として予約される必要がある。
【００４０】
ＰＵＣＣＨフォーマット３は、ＵＬデータ送信のために使用されるものと同じＤＦＴ拡散ＯＦＤＭを使用する。よって、このＰＵＣＣＨフォーマット３では、ＤＦＴＳ−ＯＦＤＭがマルチキャリア送信であるために、ＰＵＣＣＨ及びＰＵＳＣＨのＵＬの同時送信が可能である。フォーマット３について、長さ５の直交シーケンスが、同じリソース上に５つまでのユーザを多重化することを可能にするために使用される。構造の相違に起因して、ＰＵＣＣＨフォーマット３は、フォーマット１及び２とは多重化され得ない。
【００４１】
スケジューリングリクエスト及び／又はＡＣＫ／ＮＡＣＫを送信するために使用されるＰＵＣＣＨフォーマット１、１ａ及び１ｂの構造は、Zadoff-Chuシーケンスのサイクリックシフトに基づく構造であり、３ＧＰＰ  ＴＳ３６．２１１のセクション５．４．１において見出すことができる。１つ又は２つのビットが送信される。まず、ビットは、テーブル５．４．１−１に従って、複素値形式の数ｄ（０）へ変換される。得られる変調データシンボルは、サイクリックにZadoff-Chuシフトされたシーケンスで乗算され、これはテーブル５．５．２．２−１における角度φの関数であり、サイクリックシフトはアンテナポートに固有である。サイクリックシフトは、シンボルごとに、及びスロットごとに変化する。１２個の異なるシフトが利用可能であるものの、上位レイヤシグナリングは、高い周波数選択性を呈するセル内のＰＵＣＣＨ送信の間の直交性を維持するために、所与のセル内の複数のＵＥを、それらシフトの全てではなくいくつかを使用するように構成してもよい。変調データシンボルがZadoff-Chuシーケンスで乗算された後、１２本のサブキャリアのＳＣ−ＦＤＭＡシンボルに相当するその結果は、直交的な拡散シーケンスを用いて拡散される。ＰＵＣＣＨフォーマット１、１ａ及び１ｂは、ＳＣ−ＦＤＭＡシンボル番号２、３及び４において、（通常のサイクリックプレフィクスが使用される場合に）これらリファレンスシンボルをスロットごとに搬送する。これにより、情報送信のために４つのＳＣ−ＦＤＭＡシンボル（拡張サイクリックプレフィクスのケースでは３つ）が残される。１２本のサブキャリアのＳＣ−ＦＤＭＡシンボルは、よって、テーブル５．４．１−２からの直交拡散コードを用いて、それら４つのＳＣ−ＦＤＭＡシンボルにわたって拡散される。その集合が、次いで、双方のスロットへマッピングされる。
【００４２】
【表１】
2018514972.tif 000003
【００４３】
【表２】
2018514972.tif 000004
【００４４】
【表３】
2018514972.tif 000005
【００４５】
ＰＵＣＣＨフォーマット１ａ及び１ｂは、それぞれ１つ又は２つのいずれかのハイブリッドＡＲＱ確認応答を搬送するＰＵＣＣＨ送信をいう。（ＳＲのみを搬送する）ＰＵＣＣＨフォーマット１の送信信号は、ＲＲＣシグナリングにより予め構成された（特定の時間−周波数リソース、サイクリックシフト及び直交拡散コードにより定義される）ＵＥ固有の物理制御チャネルリソース上で送信される。同様に、ハイブリッドＡＲＱ確認応答のみを搬送するＰＵＣＣＨフォーマット１ａ又は１ｂの送信信号は、異なるＵＥ固有の物理制御チャネルリソース上で送信される。ＡＣＫ／ＮＡＣＫ情報及びスケジューリングリクエストの双方を搬送するように意図されたＰＵＣＣＨフォーマット１ａ又は１ｂの送信信号は、肯定的なＳＲ送信のための割り当てＳＲリソース上で送信され、ＡＣＫ／ＮＡＣＫ情報と共に符号化される。
【００４６】
ＰＵＣＣＨフォーマット１／１ａ／１ｂ送信信号は、１又は２ビットの情報のみ（及び送信のために使用される物理制御チャネルリソースに依存して、スケジューリングリクエスト）を搬送する。チャネル状態情報レポートは、サブフレームごとに２ビットよりも多くのデータを要することから、３ＧＰＰ  ＴＳ３６．２１１のセクション５．４．２に記述されている通りのＰＵＣＣＨフォーマット２／２ａ／２ｂがそれら送信のために使用される。図７に示されているように、ＰＵＣＣＨフォーマット２、２ａ及び２ｂにおいて、１１ビットまでのＣＳＩビットがテーブル５．２．３．３−１内のコードを用いてまず２０ビットへブロック符号化され、次いで、送信用のブロック符号化されたビットがテーブル７．１．２−１に従ってスクランブリングされ及びＱＰＳＫ変調される（図７は、スロットごとに７つのシンボルを伴う、通常のサイクリックプレフィクスを用いるサブフレーム向けの符号化を示している。拡張サイクリックプレフィクスを用いるスロットは、スロットごとに２つではなく１つのリファレンス信号シンボルのみを有する）。次いで、得られる１０個のＱＰＳＫシンボルｄ（０），…，ｄ（９）は、やはりテーブル５．５．１．２−１における角度φのセットを用いて、サイクリックシフトされるZadoff-Chu型のシーケンスと乗算される。サイクリックシフトは、やはりシンボル間で及びスロット間で変化する。ＰＵＣＣＨフォーマット２リソースの１つのスロットは、２つのシンボル上にリファレンスシンボルを有し、情報用にスロットごとに５つのシンボルが残される。シンボル５つは、１番目のスロット、即ち図７の左側に見えているスロットにおいて処理され及び送信され、一方で残る５つのシンボルは２番目のスロット内で送信される。ＰＵＣＣＨフォーマット２、２ａ及び２ｂは、ＳＣ−ＦＤＭＡシンボル番号１及び５に位置する、スロットごとに２つのリファレンスシンボルを搬送する。
【００４７】
フォーマット２ａ及び２ｂは、追加的に、それぞれ１つ又は２つのＨＡＲＱ  ＡＣＫ／ＮＡＣＫビットを搬送する。ビットは、テーブル５．４．１．１に記述されているマッピングを用いて複素数ｄ（１０）へ変換され、ここで１ａ->２ａ、１ｂ->２ｂである。ｄ（１０）内の情報は、ＰＵＣＣＨのＤＭＲＳシーケンスの生成において当該複素数が使用されるように搬送される。
【００４８】
【表４】
2018514972.tif 000006
【００４９】
【表５】
2018514972.tif 000007
【００５０】
ＬＴＥリリース８又はＬＴＥリリース９に従って（即ち、キャリアアグリゲーション無しで）動作するＵＥについて、ＡＣＫ／ＮＡＣＫビット及びＣＳＩビットを同時にレポートするモードでＵＥを構成することが可能である。ＵＥが通常のサイクリックプレフィクスを使用している場合、１つ又は２つのＡＣＫ／ＮＡＣＫビットは、テーブル５．４．１．１に記述されているマッピングを用いてＱＰＳＫシンボルへ変調され、ここで１ａ->２ａ、１ｂ->２ｂであり、それはＰＵＣＣＨフォーマット２の各スロット内の２番目のリファレンス信号（ＲＳ）リソースエレメントへマッピングされる。１つのＡＣＫ／ＮＡＣＫビットが各スロット内の２番目のＲＳ上で変調される場合、ＵＥにより使用されるＰＵＣＣＨフォーマットをＰＵＣＣＨフォーマット２ａという。２つのＡＣＫ／ＮＡＣＫビットが各スロット内の２番目のＲＳ上で変調される場合、ＵＥにより使用されるＰＵＣＣＨフォーマットをＰＵＣＣＨフォーマット２ｂという。ＵＥが拡張サイクリックプレフィクスで構成される場合、１つ又は２つのＡＣＫ／ＮＡＣＫビットは、ＣＳＩフィードバックと共に結合的に符号化され、ＰＵＣＣＨフォーマット２内で併せて送信される。
【００５１】
ＰＵＣＣＨフォーマット１送信と同様に、ＰＵＣＣＨへ割り当てられるリソースブロックのペアは、複数のＵＥからの複数のＰＵＣＣＨフォーマット２送信信号を搬送することができ、別個の送信信号はサイクリックシフトによって分離される。ＰＵＣＣＨフォーマット１と同様に、一意なＰＵＣＣＨフォーマット２の各リソースを、位相回転及び他の必要な量の導出元となるインデックスにより表現することができる。ＰＵＣＣＨフォーマット２のリソースは、準静的に構成される。留意すべきこととして、リソースブロックのペアは、ＰＵＣＣＨフォーマット２／２ａ／２ｂ及び１／１ａ／１ｂの混成をサポートするように構成されるか、又はフォーマット２／２ａ／２ｂを排他的にサポートするように構成されるかのいずれかであり得る。
【００５２】
３ＧＰＰのＬＴＥ標準のリリース１０（ＬＴＥリリース１０）は、公開済みであり、キャリアアグリゲーションの使用を通じて２０ＭＨｚよりも大きい帯域幅のサポートを提供する。ＬＴＥリリース１０の仕様の開発に課された１つの重要な要件は、ＬＴＥリリース８との後方互換性を保証することであった。スペクトルの互換性についてのニーズは、２０ＭＨｚよりも広いＬＴＥリリース１０のキャリアが、ＬＴＥリリース８のモバイル端末にとって別々の複数のより帯域幅の小さいＬＴＥキャリアとして見えるべきであることを決定付けた。それら別々のキャリアの各々を、コンポーネントキャリアとして言及することができる。
【００５３】
特に、早い時期のＬＴＥリリース１０システムの配備については、ＬＴＥ仕様のより古いリリースに準拠する多くの“レガシー”モバイル端末と比較して、相対的に少ない数のＬＴＥリリース１０対応のモバイル端末が存在するであろうことを予期することができる。従って、リリース１０のモバイル端末と共に、レガシーモバイル端末について広いキャリアの効率的な使用を保証すること、即ち、レガシーモバイル端末を広帯域のＬＴＥリリース１０キャリアの全ての部分にスケジューリングすることができることが必要である。
【００５４】
これを達成する１つの単純な手法は、キャリアアグリゲーションと呼ばれる技法の手段による。キャリアアグリゲーションでは、ＬＴＥリリース１０モバイル端末は、複数のコンポーネントキャリアを受信することができ、各コンポーネントキャリアはリリース８キャリアと同じ構造を有する（又は少なくとも有し得る）。ＬＴＥ標準のリリース１０は、５つまでの統合されるキャリアのサポートを仕様化しており、各キャリアは、６通りの無線周波数（ＲＦ）帯域幅、即ち１．４、３、５、１０、１５及び２０ＭＨｚのうちの１つに限定される。
【００５５】
統合されるコンポーネントキャリアの数及び個々の各コンポーネントキャリアについての帯域幅は、アップリンクとダウンリンクについて相違してもよい。対称構成においては、ダウンリンク及びアップリンクにおけるコンポーネントキャリアの数は同一であり、一方で、非対称構成においては、アップリンクキャリア及びダウンリンクキャリアの数は相違する。
【００５６】
初期アクセスの期間中に、ＬＴＥリリース１０のモバイル端末は、ＬＴＥリリース８のモバイル端末と同様に振る舞い、アップリンク及びダウンリンクについて単一のキャリアへのアクセスを要求し及び取得する。ネットワークへの成功裏の接続後に、モバイル端末は、自身のケイパビリティ及びネットワークに依存して、アップリンク及びダウンリンクにおいて追加的なコンポーネントキャリアと共に構成され得る。
【００５７】
モバイル端末が追加的なコンポーネントキャリアと共に構成される場合であっても、必ずしもそれらの全てを常に監視する必要は無い。なぜなら、ＬＴＥリリース１０は構成とは別個にコンポーネントキャリアをアクティブ化することをサポートしているからである。モバイル端末は、構成され且つアクティブ化されているコンポーネントキャリアのみ、ＰＤＣＣＨ及びＰＤＳＣＨを監視する。アクティブ化は、無線リソース制御（ＲＲＣ）シグナリングよりも高速なメディアアクセス制御（ＭＡＣ）の制御エレメントに基づいてなされ、アクティブ化／非アクティブ化の処理はその時点のデータレートの必要性を満たすために要するコンポーネントキャリアの数に動的に追随することができる。１つのコンポーネントキャリア−ダウンリンクのプライマリコンポーネントキャリア（ダウンリンクＰＣＣ）−を除いて全てのコンポーネントキャリアを、任意の所与の時点で非アクティブ化することができる。
【００５８】
ＬＴＥにおいてキャリアアグリゲーションが使用される場合、１つのアップリンクキャリアが全てのダウンリンクキャリアのＰＤＳＣＨ送信についてのＨＡＲＱ−ＡＣＫ／ＮＡＣＫビットを搬送するように設計されている。Ａ／Ｎの４つよりも多くのビットを送信する余地を可能にするために、３ＧＰＰ  ＴＳ３６．２１１のセクション５．４．２Ａにおいて定義されているＰＵＣＣＨフォーマット３を使用することができる。周波数分割複信（ＦＤＤ）のシナリオでは、各ダウンリンクキャリアは、当該キャリアについてＭＩＭＯ（multiple-input  multiple-output）動作が有効化されているかに依存して、スケジューリングされるサブフレームごとに１つ又は２つのＨＡＲＱ  ＡＣＫ／ＮＡＣＫビットを生成することができる。時間分割複信（ＴＤＤ）シナリオでは、ＨＡＲＱ  ＡＣＫ／ＮＡＣＫビットの数は、所与のアップリンクサブフレームがいくつのダウンリンクサブフレームを対象としてＨＡＲＱ  ＡＣＫ／ＮＡＣＫビットを搬送すべきかにも依存する。
【００５９】
４ビットよりも多くの情報を送信しなければならないシナリオのために設計されたＰＵＣＣＨフォーマット３は、ＤＦＴ拡散ＯＦＤＭに基づく。ＰＵＣＣＨフォーマット３は、４８個のチャネル符号化されたビットを搬送し、それらは、テーブル７．１．２．１−１を用いてスクランブリングされた後にまずＱＰＳＫ変調される。チャネル符号化されたビットは、テーブル５．２．２．６．４−１において与えられている（３２，Ｏ）コードからコードワードの循環的な反復により形成される。スロットごとに送信されるべき１２個のＱＰＳＫシンボルが今や存在する。１２個のＱＰＳＫシンボルは、１つのＯＦＤＭシンボル群を出力するＤＦＴプリコーダへ入力される。２つのＯＦＤＭシンボルはＤＭＲＳのために使用される（通常のサイクリックプレフィクス）ことから、スロット内で５つのＯＦＤＭシンボルが利用可能である。よって、１つのＯＦＤＭシンボルが、テーブル５．４．２Ａ−１からの直交シーケンスを用いて、５つのＯＦＤＭシンボルにわたって拡散され得る。直交拡散に加えて、セル間干渉をランダム化するためにサイクリックシフトも適用される。２番目のスロットにおいて、最後のＯＦＤＭシンボルがサウンディングリファレンス信号のために使用されるケースでは、長さ４の直交シーケンスが適用されてもよい。なお、１１個よりも多くのＡＣＫ／ＮＡＣＫビットが符号化される場合、それらビットは２つの部分へ分割され、３２ビットのコードワードへ別々に符号化され、次にそれらは２４ビットへトランケートされて、４８ビットのコードワードを形成するように共に多重化される。
【００６０】
図８は、ＬＴＥサブフレームの２つのスロットのうちの１つについての上記設計のブロック図を示している。同じ処理がアップリンクフレームの第２のスロットに当てはまる。図示したシナリオにおいて、（単一のＳＲビットと組み合わせられてもよい）複数のＡＣＫ／ＮＡＣＫビットは、ＲＭ（Reed-Muller）前方誤り訂正（ＦＥＣ）コードを用いて符号化されて、４８個の符号化ビットを形成する。（ＲＭエンコーダにより生成される３２個の出力符号化ビットのうちのいくつかが反復されて４８個の符号化ビットが生成される。）次いで、符号化ビットは、セル固有の（及び恐らくはＤＦＴ拡散ＯＦＤＭシンボル依存の）シーケンスを用いてスクランブリングされる。２４ビットは１番目のスロット内で送信され、他の２４ビットは２番目のスロット内で送信される。次いで、スロットごとの２４ビットは、図８において“ＱＰＳＫマッピング”とラベリングされている、スロットのＯＦＤＭシンボルのうちの５つ（シンボル０、２、３、４及び６））に現れているブロックにより示したように、１２個のＱＰＳＫシンボルへマッピングされる。スロット内のこれら５つのシンボルの各々におけるシンボルのシーケンスは、図８においてＯＣ０、ＯＣ１、ＯＣ２、ＯＣ３及びＯＣ４で示したＯＦＤＭシンボル固有の直交カバーコードで拡散され、ＤＦＴプリコーディングに先立ってサイクリックシフトされる。ＤＦＴ拡散されたシンボルは、（逆高速フーリエ変換あるいはＩＦＦＴを用いて）ＯＦＤＭシンボルへ変換され、１つのリソースブロック（帯域幅リソース）及び５つのＤＦＴ拡散ＯＦＤＭシンボル（時間リソース）の範囲内で送信される。拡散シーケンス又は直交カバーコード（ＯＣ）は、ＵＥ固有であって、同じリソースブロック内での５つまでのユーザの多重化を可能にする。
【００６１】
【表６】
2018514972.tif 000008
【００６２】
【表７】
2018514972.tif 000009
【００６３】
リファレンス信号（ＲＳ）について、サイクリックシフトされるＣＡＺＡＣ（constant-amplitude  zero-autocorrelation）シーケンスを使用することができる。例えば、３ＧＰＰ  ＴＳ３６．２１１“Physical  Channels  and  Modulation”におけるコンピュータ最適化されたシーケンスを使用することができる。より一層リファレンス信号間の直交性を改善するために、長さ２の直交カバーコードをリファレンス信号に適用することができる。しかしながら、そのアプローチは、ＬＴＥ仕様のリリース１０又は１１では用いられない。
【００６４】
ＡＣＫ／ＮＡＣＫビットの数が１１個を上回る場合、それらビットは２つの部分へ分離され、２つのＲＭエンコーダが２つの部分に各１つ使用される。これは、デュアルＲＭコードとして知られている。１２個までのＡＣＫ／ＮＡＣＫビット（加えて１つのＳＲビット）をこのやり方でＰＵＣＣＨフォーマット３によりサポートすることができる。デュアルＲＭコードにおける各エンコーダは２４個のビットを出力し、それらは１２個のＱＰＳＫシンボルへ変換され、得られたＱＰＳＫシンボルの２つのセットは、第１のエンコーダからの１２個のシンボルが奇数のサブキャリアへマッピングされ及び第２のエンコーダからの１２個のシンボルが偶数のサブキャリアへマッピングされるように、スロットをまたいで分配され及び複数のサブキャリアにわたってインターリーブされ、ここでスロットごとに６つの奇数サブキャリア及び６つの偶数サブキャリアが想定される。（セル間干渉のランダム化を提供するために、このマッピング演算に、時間ドメインでのシンボルのセル固有、スロット固有及びシンボル固有のサイクリックシフトが含められる。）スロットごとの１２個のＱＰＳＫシンボルは、次いで、単一のＲＭコードのケースのように、５つの直交カバーコードのうちの１つを用いて、５つのＤＦＴＳ−ＯＦＤＭシンボルにわたって拡散される。
【００６５】
上述した符号化及び多重化のアプローチのいくつかの詳細が図９及び図１０に示されている。図９は、１１個までのアップリンク制御情報（ＵＣＩ）ビットについてのアプローチを示している。上述したように、このケースにおいて、ＵＣＩビットは、単一のエンコーダを用いて４８個のビットを生成するように符号化される。それら４８ビットは２４個のＱＰＳＫシンボルへマッピングされ、それらシンボルはＰＵＣＣＨを搬送するアップリンクサブフレームの１番目及び２番目のスロットの間で分割される。一方で、図１０は、１２〜２１個のＵＣＩビットについてとられるアプローチを示している。このケースにおいて、ＵＣＩビットは２つのセグメントへ分離され、それらは２つの別個のエンコーダへ供給される。各エンコーダは２４個の符号化ビットを生成し、それらは１２個のＱＰＳＫシンボルへマッピングされる。各エンコーダからの１２個のＱＰＳＫシンボルは、アップリンクサブフレームの２つのスロットの間で、インターリーブされる形で分配される。
【００６６】
【数１】
2018514972.tif 000010
【００６７】
［リソース共用］
現行のＰＵＣＣＨ領域が図１１に描かれている。ＰＵＣＣＨリソースは、ＰＵＣＣＨフォーマット２が端部に最も近いリソースを占め、フォーマット１がフォーマット２の隣りとなるようにマッピングされる。フォーマット１及び２が多重化され得るようなリソースセットが定義されてもよい。フォーマット３は、フォーマット１とフォーマット２との間に、又はＰＵＳＣＨ／ＵＬ−ＳＣＨエリアの最も近くに構成され得る。
【００６８】
【数２】
2018514972.tif 000011
【００６９】
変数ｍは、構成されるパラメータ又は固定的なパラメータ、及びリソースインデックスの関数である。また、リソースインデックスは、各フォーマットについて相違し、例えばＤＬ割り当てがどのようにして与えられたかに依存して異なるように導出される（３ＧＰＰ  ＴＳ３６．２１３，セクション１０．１．２）。例えば、ＤＬダウンリンク制御情報（ＤＣＩ）がフォーマット１についてＰＤＣＣＨを介して与えられた場合、リソースインデックスは、ＰＤＣＣＨを構築するために使用される最低のＣＣＥインデックスと、上位レイヤにより構成されるパラメータとの和である。このリソースインデックスは、多重化シーケンスのうちのいずれが各フォーマットについて使用されるかをも左右する。よって、アップリンクスケジューリングは、上位レイヤにより構成されるリソースの範囲内のリソースインデックスを通じて動的に制御される。
【００７０】
レガシーのＬＴＥシステムにおいて、即ち３ＧＰＰ仕様のリリース１１以前に従って動作するそれらＬＴＥシステムにおいて、ＤＬスケジューリングは、１ミリ秒のサブフレームベースで行われる。スケジューリングメッセージはサブフレームごとに送信され、グラントされるリソースはそのリソースグラントにおいてＵＥへ割り当てられるリソースブロックペア内のＰＤＳＣＨへ割り当てられるＯＦＤＭシンボルの全てを占める。所与のサブフレームにおける送信に関連する全ての処理を完了させるために端末に許される処理時間は、３ミリ秒であり、但しタイミングアドバンス分少ない。ＬＴＥ向けの仕様は、よって、トランスポートブロックのサイズ又はいつ割り当てが終了するかに関わらず、サブフレームｎにおけるＰＤＳＣＨ送信への応答としてＡＣＫ／ＮＡＣＫがサブフレームｎ＋４でのＵＬにおいて送信されるべきであることを仕様化している。これが図１２に示されている。
【００７１】
サブフレーム割り当てが可能であるシステムにおいて、端末について要する処理時間はＰＤＳＣＨ割り当ての時間長と共にトランスポートブロックのサイズに依存することから、この柔軟性を欠いたアプローチには無駄が多い。これが意味するのは、“準サブフレーム”として言及されるように、サブフレーム内のＯＦＤＭシンボルの連続的なサブセットについてのみ割り当てがスケジューリングされることをＵＥが検出する場合、原理上、サブフレーム内の全てのシンボルが使用される際に可能なケースに対してより早期にＡＣＫ／ＮＡＣＫフィードバックを送信することができるということである。
【００７２】
以下に詳述する技法は、ＬＴＥ端末が１ミリ秒のサブフレーム内のＯＦＤＭシンボルの全て又はそのサブセットのみのＰＤＳＣＨリソース割り当てを受信することができ、及びリソース割り当てがサブフレームごとに変化し得るという想定に基づく。より一般的には、理解されるであろうこととして、当該技法は、あるワイヤレスデバイスと他のワイヤレスデバイスとの間の通信に適用されてよく、所与のサブフレームでの第１のワイヤレスデバイスから第２のワイヤレスデバイスへのデータの送信はサブフレームの範囲内で可能な最大データ送信時間長よりも小さい時間長を占めることができ、ここで“サブフレーム”との用語は、所与のワイヤレスシステムでの既定の送信時間インターバル（ＴＴＩ）への言及であると理解されてよい。
【００７３】
短縮ダウンリンクサブフレームのコンセプトに関連する３つの問題が存在する。第１の問題はレイテンシの低減に関連し、第２の問題はＳＳＦについてのＵＬリソースの多重化及びレガシーユーザに関連する。第３の問題は、準サブフレーム（ＳＳＦ）のコンセプトのユースケースに関連し、ＵＬフィードバックチャネル割り当てがＤＬ準サブフレームよりも長く、１つのＵＬリソースが複数のＤＬ  ＳＳＦのためのＡＣＫ／ＮＡＣＫを搬送すべきことになることである。それはＡＣＫ／ＮＡＣＫバンドリングの形式になる。
【００７４】
［レイテンシ低減］
図１１に見られるように、あるユーザ（ｍ＝０，…，３）のＰＵＣＣＨが１ミリ秒のサブフレームの全体を占めている。ＰＤＳＣＨにおける準サブフレーム（ＳＳＦ）のコンセプトの導入は、処理時間の低減が想定される場合に、１〜２ミリ秒早くＨＡＲＱ  ＡＣＫ／ＮＡＣＫを送信することを可能にする。しかしながら、ＳＳＦの導入によって可能となるＨＡＲＱ  ＡＣＫ／ＮＡＣＫフィードバック時間をさらに低減するために、アップリンクの短縮も行われるべきである。
【００７５】
［ＵＬ多重化］
リソース割り当てについての問題を次のように理解することができる。図１３において、上段のバー１３０５及び１３１５は、通常の１ミリ秒のサブフレームについての、ダウンリンクＰＤＳＣＨ及び対応するアップリンクＰＵＣＣＨのＵＬ／ＤＬペアを示しており、一方で、下側のバー１３２５及び１３３５は、０．５ミリ秒のサブフレームについてのＵＬ／ＤＬペアを示している。同じ処理時間が想定される場合、通常のＤＬサブフレーム１３３０と同じ時間に開始するＤＬ準サブフレーム１３２０のＡＣＫを収容する準サブフレームＰＵＣＣＨ１３１０は、より早い通常のサブフレーム１３５０についてのＡＣＫを収容するＰＵＣＣＨ１３４０と衝突するはずである。（例えば、１．５ミリ秒までの）処理時間の低減が想定される場合、ＡＣＫ／ＮＡＣＫを収容する準サブフレームＰＵＣＣＨは、より一層早い１ミリ秒のアップリンクサブフレームと衝突するはずである。
【００７６】
３ＧＰＰの仕様である３ＧＰＰ  ＴＳ３６．２１１は、ＵＬサブフレームｎ内のＵＬ  ＰＵＣＣＨリソースの動的なスケジューリングを可能とするより複雑なルールのセットを提供しており、それはＤＬサブフレームｎ−４のＤＬスケジューリングを制御することによる。よって、ＳＳＦ  ＡＣＫ／ＮＡＣＫとレガシーのＵＣＩとのＵＬ多重化（それは可能であるものとする）は、何らかのスケジューリングの複雑化をもたらし、又は制限さえももたらすかもしれない。
【００７７】
［ＡＣＫ／ＮＡＣＫバンドリング］
第３の問題は、ＵＬフィードバックチャネル割り当てがＤＬ準サブフレームよりも長く、１つのＵＬリソースが複数のＤＬ  ＳＳＦのためのＡＣＫ／ＮＡＣＫを搬送する必要があるというユースケースに関連する。類似の状況が、ある方向において新たなＲＡＴが導入され他の方向におけるＬＴＥと組み合わせられる場合に生じ得る。例えば、ダウンリンクにおける新たな無線アクセス技術が、アップリンクにおけるレガシーＬＴＥと組み合わせられる。そうした配備は、同じ長さのＵＬ及びＤＬ準サブフレームの場合よりも良好なアップリンクカバレッジを伴うダウンリンク性能ブーストを与えるはずである。
【００７８】
従って、ＳＳＦダウンリンク送信に伴って可能なレイテンシの恩恵が十分に有効になるような手法で準サブフレームＤＬ送信に対し確認応答を行うために、アップリンクリソース割り当て及びＵＬ制御チャネルは、修正を必要とする。手短に言うと、ＰＵＣＣＨの占有部分は、１ｍｓのＵＬサブフレームよりも短い必要がある。よって、短縮されたＵＬ  ＰＵＣＣＨフォーマットに加えて、リソース割り当て及びあり得る多重化が議論される。これは、ＬＴＥにおける現行のＰＵＣＣＨ構造との後方互換性を維持しながら、ｓＰＤＳＣＨを使用するダウンリンク送信への確認応答の課題を解決する。ここで説明される技法は、１ミリ秒のタイミングを伴うサブフレームと、例えば０．５ミリ秒のタイミングを伴うＳＳＦとの同時の使用を可能とするシステムにおいて、レガシーＵＥ及び新規のＵＥの双方が同じ手法でＰＵＣＣＨを使用する形で、何らかの組み合わせ又は別個に使用されてもよい。これがＵＥ設計及びネットワーク設計を簡略化する。
【００７９】
ここで説明される短縮ＰＵＣＣＨあるいは“ｓＰＵＣＣＨ”は、シングルキャリアベースのレガシーのＰＵＣＣＨフォーマット１、２に類似する信号形式を有してもよく、又はＤＦＴＳ−ＯＦＤＭベースのフォーマット３に類似する信号形式を有してもよい。シングルキャリア（ＳＣ）ベースのｓＰＵＣＣＨ解決策とマルチキャリア（ＭＣ）ベースのｓＰＵＣＣＨ解決策との間の重要な相違は、ＭＣ  ｓＰＵＣＣＨの解決策についてのみ不連続な周波数ドメイン割り当てが可能であるという点である。
【００８０】
シングルキャリアｓＰＵＣＣＨ及びマルチキャリアｓＰＵＣＣＨの双方の解決策について、最も簡易な解決策は、インパクトの最小な解決策とも呼ぶことができるが、スロットベースのＵＬである。図１４は、ＳＣベースのｓＰＵＣＣＨフォーマット及びＭＣベースのｓＰＵＣＣＨフォーマットの双方についてのインパクトの最小なスロットベースのｓＰＵＣＣＨの一例を示している。ユーザｍ＝０及びｍ＝１は、レガシーのＰＵＣＣＨフォーマットを伴うユーザを表し、この例では、簡明さのために、レガシー及び新規なｓＰＵＣＣＨのために別個の周波数リソースを想定している。図の左側のＳＣフォーマットでは、１ユーザが一度に１つの周波数割り当てのうち１スロットのみを占有し得る。図中で、インデックスｍ＝２、３、４及び５を伴うユーザは、各々１スロットを占めている。
【００８１】
図の右側のＭＣベースのフォーマットについて、１ユーザは、スペクトルの両側のスロットを同時に占有し得る。ここでは、ユーザｍ＝２及びｍ＝３が２つのスロットを占めている。留意すべきこととして、ＭＣフォーマットで必ずしも不連続な周波数割り当てを占めなくてもよい。しかしながら、それが可能であることによって、上記特徴は、ｓＰＵＣＣＨのより柔軟な設計を可能にする。
【００８２】
ＳＣベースの解決策及びＭＣベースの解決策の双方は、１〜１４個までのいかなる数のシンボルでもあり得るアップリンク割り当てへ一般化されてよい。
【００８３】
［リソース割り当て］
ｓＰＵＣＣＨの厳密な設計、長さ、及びカバーコードの設計に依存して、レガシーＰＵＣＣＨとの多重化が可能であり得る。例えば、スロットベースのＳＣ  ｓＰＵＣＣＨがレガシーＰＵＣＣＨフォーマット１又は２と多重化されてもよく、スロットベースのＭＣ  ｓＰＵＣＣＨがレガシーＰＵＣＣＨフォーマット３と多重化されてもよい。
【００８４】
いくつかのケースにおいて、レガシーのＰＵＣＣＨフォーマットとの多重化は好適ではない。例えば、レガシーユーザの数が多い場合、レガシーユーザのみを共に多重化する方がより効率的なはずであり、何故ならそのＵＬ送信信号の長さが同じだからである。このケースについて、１つの可能性は、ＳＳＦ対応のＵＥが狭い周波数領域にスケジューリングされることになるように、周波数ドメインにおいて既存のＰＵＣＣＨ領域の隣りに新規のｓＰＵＣＣＨ領域を定義することである。この領域の内部で、様々な時間及び周波数領域の多重化オプションが可能である。
【００８５】
ここで説明される技法及び装置のいくつかの実施形態において、ｓＰＵＣＣＨであるアップリンク割り当ては、１〜１４個のいかなる数のシンボルであってもよい。周波数ホッピングを伴う様々な時間及び周波数多重化オプションが使用されてよい。ｓＰＵＣＣＨについての信号フォーマットは、レガシーのｓＰＵＣＣＨフォーマット１／２に類似するシングルキャリア型であってもよく、又はレガシーのＰＵＣＣＨフォーマットのようなＤＦＴＳ−ＯＦＤＭであってもよい。
【００８６】
［シングルキャリアｓＰＵＣＣＨ（フォーマット１＆２）］
スロットベース  …  インパクトの最も小さいＵＬは、スロットベースのＵＬであるはずであり、その場合、既存のＰＵＣＣＨフォーマット１又は２が使用されるが、スロットのうちの１つにおいてのみ使用され、サブフレームの範囲内の周波数ホッピングの観点がスキップされる。図１４の左側には、簡易なスロットベースのＵＬで、ユーザｍ＝０及び１がレガシーユーザであり、ユーザｍ＝２，…，５がＳＳＦユーザであるケースが描かれている。このアプローチの恩恵は、特にフォーマット１について、現行の構造を直接的に使用することができ、よってスケジューリングリクエスト（ＳＲ）又は１〜２個のＨＡＲＱ  ＡＣＫ／ＮＡＣＫビットを搬送し得ることである。
【００８７】
フォーマット２については、情報ビットを２０個ではなく１０個のチャネル符号化ビットへマッピングする新たなチャネルコードが必要とされる。１つのそうしたコードを、テーブル５．２．３．３−１において与えられているブロックコード（２０，Ａ）のサブコードを間引くことにより形成することができる。ｉ＝０，…，９について基底シーケンス｛Ｍｉ,０、Ｍｉ,１、Ｍｉ,２、Ｍｉ,３、Ｍｉ,４｝を選ぶと、最小距離が４である（１０，５）コードが取得される。得られるコードがテーブル１に表されている。そして、１つのスロットについて同じ手続が使用され得る。即ち、スロットベースのｓＰＵＣＣＨのように、フォーマット２で、１〜２個のＨＡＲＱ  ＡＣＫ／ＮＡＣＫビットに加えて、５つのＣＳＩビットが搬送され得る。それら５ビットもまたＨＡＲＱ  ＡＣＫ／ＮＡＣＫビットであってもよい。
【００８８】
スロット長ＵＬとレガシーフォーマット１及び２との多重化は、既存の式（１）を適用することにより、及びスロット番号ｎ＿ｓを対応するダウンリンクスロットへマッピングすることにより可能とされるべきである。
【００８９】
【表８】
2018514972.tif 000012
【００９０】
１〜７ＳＣ−ＦＤＭＡシンボル  …  このケースの一般化は、１〜７個分のＳＣ−ＦＤＭＡシンボル長のｓＰＵＣＣＨを使用することである。フォーマット２ａ及び２ｂについてのＨＡＲＱ  ＡＣＫ／ＮＡＣＫ標識と同様に、ＡＣＫ／ＮＡＣＫ標識を、ＤＭＲＳシーケンスの位相シフトで搬送し得る。よって、単純な１〜２個のＯＦＤＭシンボル長のｓＰＵＣＣＨを、１つ又は２つのＤＭＲＳシーケンスのみから構成し得る。
【００９１】
概して、ＳＣ−ＦＤＭＡシンボルごとに、テーブル５．５．１．２−１の長さ１２のシーケンスは、シングルキャリアｓＰＵＣＣＨ  ＳＣ−ＦＤＭＡシンボルと、フォーマット１又は２のレガシーＰＵＣＣＨのＳＣ−ＦＤＭＡシンボルとの間の多重化の機会を与える。２〜７個のＳＣ−ＦＤＭＡシンボル長のｓＰＵＣＣＨについてフォーマット２が使用される場合、制約となる課題は、チャネル符号化である。２つのチャネル符号化ビット（１つの複合的なシンボル）を、ｓＰＵＣＣＨの１つのＳＣ−ＦＤＭＡシンボル内で送信することができる。
【００９２】
さらに、１〜２個のシンボルがＤＭＲＳシーケンス用であると想定して、フォーマット１ａ及び１ｂと同様の構造を用いて、２〜７個の間の任意の長さが可能である。このフォーマットでは、１つの複合的なシンボルがまずテーブル５．５．１．２−１を用いて１２本のサブキャリアにわたって拡散され、次いで恐らくは複数のＳＣ−ＦＤＭＡシンボルにわたって拡散される。ＳＣ−ＦＤＭＡシンボルの数は、直交カバーコードの長さの結果としてのロバスト性を定義する。
【００９３】
ＳＣ  ｓＰＵＣＣＨについての多重化  …  カバーコードの長さは、多重化キャパシティをも定義する。例えば、ＤＭＲＳを搬送しない２つのＳＣ−ＦＤＭＡシンボルが存在する場合、カバーコードは例えば［１  １］及び［１  −１］である。これは、同じ長さ１２のカバーコードを用いる２つのｓＰＵＣＣＨユーザが、言及したカバーコードをＳＣ−ＦＤＭＡシンボル上で用いて多重化され得ることを意味する。最初の２つのＳＣ−ＦＤＭＡシンボル上に１つのｓＰＵＣＣＨユーザを多重化し、最後の２つのＯＦＤＭユーザに第２のユーザを多重化する形で、カバーコード［１  １  １  １］を有するレガシーユーザとの多重化が可能である。双方のｓＰＵＣＣＨユーザは、カバーコード［１  −１］を使用し、ＤＭＲＳ用の１つのシンボルを有する。テーブル２がこの例を描いている。なお、レガシーＰＵＣＣＨフォーマット１及びこのＳＣ  ｓＰＵＣＣＨで同じ量の情報が搬送されるが、レガシーＰＵＣＣＨの送信の方がよりロバストである。
【００９４】
【表９】
2018514972.tif 000013
【００９５】
ＳＣ  ｓＰＵＣＣＨについての周波数ダイバーシティ  …  ＳＣ  ｓＰＵＣＣＨについて、２つの部分［１  −１  ＤＭＲＳ］及び［ＤＭＲＳ  １  −１］からなるスロット長のｓＰＵＣＣＨを設計することにより周波数ドメインダイバーシティが可能であり、第１の部分は最初の３つのＳＣ−ＦＤＭＡシンボル（シンボル０〜２）上でスペクトルの一端で送信され、後者の部分はスロットの最後の３つのＳＣ−ＦＤＭＡシンボル（シンボル４〜６）上で送信される。図１５は、周波数ダイバーシティのこの例を示している。なお、簡明さのために、この図において多重化は示されておらず、レガシーＰＵＣＣＨが隣接する周波数リソース上で描かれている。概して、分離は１シンボル長であることができ、複数の周波数割り当てにおいてホッピングが生じてもよい。ただ１つの制限は、使用される周波数割り当てごとのチャネル推定を有することであり、ＤＭＲＳ又は等価なものによってそれが可能とされる。
【００９６】
［マルチキャリア型のｓＰＵＣＣＨ（フォーマット３）］
スロットベース  …  ＤＦＴＳ−ＯＦＤＭは、２つの理由でｓＰＵＣＣＨのための有効なオプションであるかもしれない。１つは、ＵＬデータ（ＰＵＳＣＨ）との同時送信を可能にすることであり、もう１つは、図１４に描いたように不連続な周波数割り当てでの同時送信を可能にすることである。あらためて言うと、インパクトの最も小さい解決策は、スロットベースのＵＬを使用することである。フォーマット３について、２４個のチャネル符号化ビットをフォーマット３の既存の公式を用いて搬送し得る。さらに、５つまでのユーザを、テーブル５．４．２Ａ−１におけるカバーコードを用いてスロットごとに多重化し得る。
【００９７】
１〜７個のＯＦＤＭシンボル  …  １つのＡＣＫ／ＮＡＣＫビットを搬送するためにわずか１ＯＦＤＭシンボルしか伴わない形で、ＰＵＣＣＨフォーマット３の修正バージョンが使用されてもよい。１ＯＦＤＭシンボル長のＡＣＫ／ＮＡＣＫについての１つのアプローチは、長さ１２の２つの異なるシーケンスを用いることであり、１つはＡＣＫ用、１つはＮＡＫ用である（＝対蹠的なコンスタレーションの代わりの直交的な信号コンスタレーション、リンクバジェットが犠牲となる）。１よりも大きいＯＦＤＭシンボル長のＡＣＫ／ＮＡＫについて、１つのＲＳを使用することができ、１１個までのＡＣＫ／ＮＡＫビットをテーブル５．２．２．６．４−１において与えられているコードからの間引き後の長さ２４のコードを用いて送信することができる。具体的には、コード内の最初の８ビットを間引くことにより、最小距離７の長さ２４のコードが取得される。そして、単一のスロットにおけるＰＵＣＣＵフォーマット３でそうであるように、このコードのコードワードを使用することができる。コードは、テーブル３において与えられている。
【００９８】
このチャネルコードに対する代替案は、レガシーにおいて今日ＰＵＣＣＨフォーマット３での１１個よりも多くのＡＣＫ／ＮＡＣＫビットを符号化する際に使用されている、３２ビットのコードワードの２４ビットのコードワードへの現行のトランケートを使用することである。
【００９９】
【表１０】
2018514972.tif 000014
【０１００】
ＤＦＴベースの長さ２〜７のｓＰＵＣＣＨについて、上述したスロットベースのアプローチについて使用されたものと同じチャネル符号化のアプローチを使用することができる。差異は直交シーケンス長にあり、よって多重化ケイパビリティにも差異がある。
【０１０１】
【数３】
2018514972.tif 000015
【０１０２】
テーブル４は、レガシーユーザとの多重化の例を示し、テーブル５は、ＭＣ  ｓＰＵＣＣＨのみの多重化の例を与える。なお、ＭＣ  ｓＰＵＣＣＨユーザのみを多重化する場合、即ち、複数のｓＰＵＣＣＨユーザに別個の周波数割り当てがある場合、ＤＭＲＳシーケンスがどのシンボルであるかにおけるより大きい選択の自由度が存在する。
【０１０３】
【表１１】
2018514972.tif 000016
【０１０４】
【表１２】
2018514972.tif 000017
【０１０５】
ＭＣ  ｓＰＵＣＣＨについての周波数ダイバーシティ  …  ＭＣ  ｓＰＵＣＣＨについて、ＳＣ  ｓＰＵＣＣＨと同様に周波数ドメインのダイバーシティが可能である。加えて、複数の不連続な周波数割り当てでＭＣ  ｓＰＵＣＣＨを送信することが可能であることから、情報ビットが複数の周波数割り当てを有するＭＣ  ｓＰＵＣＣＨ上でスクランブリングされてもよい。他のオプションは、例えば図１４の右側にユーザｍ＝２について示したように、双方のスロットで同じチャネル符号化ビットを反復することである。
【０１０６】
［ＳＳＦ  ＨＡＲＱ  ＡＣＫ／ＮＡＣＫ、ＣＳＩ及びＳＲの同時送信の扱い］
レガシーのＬＴＥシステムでは、ＡＣＫ／ＮＡＣＫの送信時間がＣＱＩ又はＳＲの送信時間と同時発生する場合、３ＧＰＰ  ＴＳ３６．２１３のセクション７．２に様々な破棄ルールがある。短縮サブフレーム（ＳＳＦ）では、この状況を扱うための数個の代替案が存在する。
１．ＣＱＩ又はＳＲがＰＵＣＣＨ上で送信され、ＳＳＦ  ＡＣＫ／ＮＡＣＫがｓＰＵＣＣＨ上で送信される
これは、ＵＥがＰＵＣＣＨとｓＰＵＣＣＨとを同時に送信可能であることを要する。レガシーでは、一度に１つのＰＵＣＣＨしか送信されないが、この制限はＤＦＴＳ−ＯＦＤＭ  ＵＥの利用可能性以前の、リリース８へ遡る。あるいは、他の可能性は、ＳＳＦ  ＡＣＫ／ＮＡＣＫもまた必要とされる同じサブフレームにおいてＣＱＩが送信される必要がある場合、ＵＥがＰＵＣＣＨ上でのＣＱＩの送信を破棄し、ＡＣＫ／ＮＡＣＫのみをそのｓＰＵＣＣＨ上で送信することである。
２．ＣＱＩ又はＳＲ、及びＳＳＦ  ＡＣＫ／ＮＡＣＫがＰＵＣＣＨ上で送信される
ＰＵＣＣＨ上の現行のフォーマット３によって、２０個までのＡＣＫ／ＮＡＣＫがカバーされる。ＭＩＭＯ及びＣＡをＳＳＦと共にサポートすべきである場合、２シンボルのＳＳＦをサポートすべきケースでは、新たなフォーマットは、２０×７個までのＡＣＫ／ＮＡＣＫをサポートすることを要する。この解決策では、ＡＣＫ／ＮＡＣＫの送信に１ｍｓ掛かることになり、そのためＨＡＲＱタイミングがｓＰＵＣＣＨ上のＳＳＦ  ＡＣＫ／ＮＡＣＫとは相違し得ることから、タイミングの課題もあるであろう。
３．ｓＰＵＣＣＨ上のＣＱＩ又はＳＲ及びＳＳＦ  ＡＣＫ／ＮＡＣＫ
ＣＱＩ及びＳＲのｓＰＵＣＣＨへの多重化は、ＳＳＦ及びｓＰＵＣＣＨの時間長がより短くなるほど一層困難となる。レガシーと同様に、ＣＱＩレポーティングは、ＵＥがＡＣＫ／ＮＡＣＫ又はＳＲを送信することを必要とするのと同時にｓＰＵＣＣＨ上でスケジューリングされる場合、破棄されることができる。例えば、ＵＥがｓＰＵＣＣＨフォーマット２上でＣＱＩレポートを送信するようにスケジューリングされ、同時にＡＣＫ／ＮＡＣＫ又はＳＲを送信する必要がある場合、次のいずれかがあり得る：
ａ．ＵＥがそのように構成される場合、ｓＰＵＣＣＨフォーマット３でＣＱＩレポート並びにＡＣＫ／ＮＡＣＫ及び／又はＳＲを送信し、送信されるべきビット数はフォーマット３に合わせられる
ｂ．ＣＱＩレポートを破棄し、ＡＣＫ／ＮＡＣＫ及び／又はＳＲのみを送信
４．同時のＰＵＳＣＨ／ｓＰＵＳＣＨ送信を伴う、ｓＰＵＣＣＨ上でのＣＱＩ又はＳＲ及びＳＳＦ  ＡＣＫ／ＮＡＣＫ
ＵＥがＣＱＩレポーティング及びＰＵＳＣＨ／ｓＰＵＳＣＨを送信するようにスケジューリングされ並びにＡＣＫ／ＮＡＣＫ及び／又はＳＲを送信することを望む場合、若干の代替案が存在する：
ａ．ｓＰＵＣＣＨ上でＡＣＫ／ＮＡＣＫ及びＳＲを送信し、ＰＵＳＣＨ／ｓＰＵＳＣＨ上でＣＱＩレポートを送信
ｂ．ｓＰＵＣＣＨ上でＡＣＫ／ＮＡＣＫを送信し、ＰＵＳＣＨ／ｓＰＵＳＣＨ上でＣＱＩレポーティング及びＳＲを送信
ｃ．ｓＰＵＣＣＨ上でＳＲを送信し、ＰＵＳＣＨ／ｓＰＵＳＣＨ上でＣＱＩレポーティング及びＡＣＫ／ＮＡＣＫを送信
ｄ．ｓＰＵＣＣＨ上でＣＱＩレポートを送信し、ＰＵＳＣＨ／ｓＰＵＳＣＨ上でＡＣＫ／ＮＡＣＫ及びＳＲを送信
ｅ．ＰＵＳＣＨ／ｓＰＵＳＣＨ上でＡＣＫ／ＮＡＣＫ、ＳＲ及びＣＱＩレポートを送信
ｆ．ＣＱＩレポートのためにＰＵＳＣＨ／ｓＰＵＳＣＨに空きが無い場合、項番３以下の既定の振る舞い
【０１０７】
［ＤＬがアップリンクよりも時間においてより精細な粒度を有するケースでのＳＳＦ  ＨＡＲＱ  ＡＣＫ／ＮＡＣＫ］
１つの例において、ダウンリンク粒度は、アップリンク粒度の半分である。図１６では、ｓＰＵＣＣＨの第１の部分は“第１のＳＳＦ”に対して確認応答を行うために使用され、第２の部分は“第２のＳＳＦ”に対して確認応答を行うために使用されるものと想定される。よって、“第２のＳＳＦ”において１回の送信のみが受信される場合、ｓＰＵＣＣＨメッセージの第２の部分に何を書き込むべきかを処理し及び理解しながら、第１の部分に“確認応答無し”を追記してｓＰＵＣＣＨメッセージの構築を開始することができる。図１６において、データのＤＬ送信は、２回のＳＳＦ送信である。１回の送信は成功裏に受信され、１回は不成功である。新たなＰＵＣＣＨフォーマットの１回の送信が、双方のＳＳＦ送信のためのＨＡＲＱ確認応答（ＡＣＫ１つ及びＮＡＣＫ１つ）を送信するために使用される。否定応答の対象のデータ送信信号は再送され、その送信のための確認応答（このケースでは、１つのＳＳＦへの確認応答送信のみ）を送信するために新たなＰＵＣＣＨフォーマットが使用される。
【０１０８】
上述した詳細な例示的な実施形態を念頭に置いて、図１７は、ワイヤレスデバイスにおいて実装される、ここで説明した技法のいくつかに係る一般化された方法１７００を示しており、ワイヤレスデバイスは、第１のサブフレームにおいてデータ送信信号を受信し、その送信信号に対して後続のサブフレームにおいてＡＣＫ／ＮＡＣＫフィードバックで確認応答を行う。この方法は、現に開示した技法を遂行するように適合されるＬＴＥ  ＵＥ内に実装され得る。
【０１０９】
ブロック１７１０に示したように、本方法は、第１のサブフレームインターバルにおいて、第２のワイヤレスデバイスからの第１のデータ送信信号を受信すること、を含む。理解されるであろうこととして、いくつかの実施形態において、上記第１のデータ送信信号は、例えばダウンリンクリソースの準サブフレーム割り当てを用いて、第１のサブフレームインターバルの範囲内で可能な最大データ送信時間長よりも小さい時間長の範囲内で受信される。上記方法は、さらに、ブロック１７２０に示したように、後続のサブフレームインターバルにおいて、上記後続のサブフレームインターバルの範囲内で可能な最大送信時間長よりも小さい時間長の範囲内で、第２のワイヤレスデバイスへＨＡＲＱフィードバック及び／又はＣＳＩを送信すること、を含む。
【０１１０】
いくつかの実施形態において、上記予め決定されるサブフレームインターバルの長さは、１ミリ秒であり、１４個のＯＦＤＭシンボルからなる。
【０１１１】
いくつかの実施形態において、ＨＡＲＱフィードバック及び／又はＣＳＩの上記送信は、上記後続のサブフレームインターバル内の２つのスロットのうち厳密に１つのスロットを占める。いくつかの実施形態において、上記ＨＡＲＱフィードバック及び／又はＣＳＩを送信することは、ＨＡＲＱデータの１つ又は２つのビットを複素値形式の数へ変換することと、サイクリックシフトされる長さ１２のシーケンスを用いて、１２本のサブキャリアにわたって上記複素値形式の数を拡散して、１２個の複素数の配列を形成することと、上記１２個の複素数の配列を、１２本のサブキャリアの４つのＳＣ−ＦＤＭＡシンボルへ、長さ４の直交拡散コードを用いて拡散することと、上記４つのＳＣ−ＦＤＭＡシンボルを２つのスロットのうちの上記１つのスロットのシンボルへマッピングすることと、を含む。他の実施形態において、上記ＨＡＲＱフィードバック及び／又はＣＳＩを送信することは、チャネルコードを用いて、複数のＨＡＲＱビット及び／又はＣＳＩビットを１０個のビットへ符号化することと、符号化された上記ビットをスクランブリングすることと、スクランブリングされた符号化された上記ビットを、ＱＰＳＫ変調法を用いて変調して、５つのＱＰＳＫシンボルを形成することと、上記５つのＱＰＳＫシンボルの各々をサイクリックシフトされる長さ１２のシーケンスと乗算して、１２個のＱＰＳＫシンボルの５つの配列を取得することと、１２個のＱＰＳＫシンボルの上記５つの配列の各々を、２つのスロットのうちの上記１つのスロットの対応するＳＣ−ＦＤＭＡシンボルへマッピングすることと、を含む。これら後者の実施形態のいくつかにおいて、上記方法は、１つ又は２つのＨＡＲＱビットを複素数へ変換することと、上記複素数を用いてＤＭＲＳシーケンスを生成することと、生成される上記ＤＭＲＳシンボルシーケンスからのシンボルを、２つのスロットのうちの上記１つのスロットのＳＣ−ＦＤＭＡシンボルへマッピングすることと、をさらに含む。
【０１１２】
いくつかの実施形態において、ＤＦＴ拡散ＯＦＤＭが使用され、結果的にｓＰＵＣＣＨは単一のスロットを占める。それら実施形態のいくつかにおいて、上記ＨＡＲＱフィードバック及び／又はＣＳＩを送信することは、チャネルコードを用いて、複数のＨＡＲＱフィードバックビット及び／又はＣＳＩビットを２４個のビットへ符号化することと、符号化された上記ビットをスクランブリングし、及び、スクランブリングされた符号化された上記ビットをＱＰＳＫ変調法を用いて変調して、１２個のＱＰＳＫシンボルを形成することと、上記１２個のＱＰＳＫシンボルをＤＦＴプリコーダへ入力して、ＤＦＴ拡散ＯＦＤＭ（ＤＦＴＳ−ＯＦＤＭ）シンボルを形成することと、長さ５の直交拡散シーケンスを用いて上記ＯＦＤＭシンボルを拡散して、５つのＤＦＴＳ−ＯＦＤＭシンボルを形成することと、２つのスロットのうちの上記１つのスロットのＯＦＤＭシンボルにおいて、上記５つのＤＦＴＳ−ＯＦＤＭシンボルを送信することと、を含む。
【０１１３】
いくつかの実施形態において、ｓＰＵＣＣＨは、単一のスロットよりも小さい部分を占める。いくつかの実施形態において、その場合、上記後続のサブフレームインターバルは、複数の送信シンボルからなり、上記ＨＡＲＱフィードバック及び／又はＣＳＩの上記送信は、上記後続のサブフレームインターバル内の上記送信シンボルのうちの全てではないいくつかを占める。それら実施形態のいくつかにおいて、上記後続のサブフレームインターバルは、２つのスロットからなり、各スロットは、複数の送信シンボルを含み、上記ＨＡＲＱフィードバック及び／又はＣＳＩの上記送信は、上記２つのスロットのうちの１つのスロットへ制限され、上記２つのスロットのうちの上記１つのスロット内の上記送信シンボルのうちの全てではないいくつかを占める。
【０１１４】
それら実施形態のいくつかにおいて、上記ＨＡＲＱフィードバック及び／又はＣＳＩを送信することは、ＨＡＲＱデータの１つ又は２つのビットを複素値形式の数へ変換することと、サイクリックシフトされる長さ１２のシーケンスを用いて、１２本のサブキャリアにわたって上記複素値形式の数を拡散して、１２個の複素数の配列を形成することと、上記１２個の複素数の配列を、１２本のサブキャリアの２つ以上のＳＣ−ＦＤＭＡシンボルへ、直交拡散コードを用いて拡散することと、上記２つ以上のＳＣ−ＦＤＭＡシンボルを上記後続のサブフレームインターバルのシンボルへマッピングすることと、を含む。他の実施形態において、上記ＨＡＲＱフィードバック及び／又はＣＳＩを送信することは、１つ又は２つのＨＡＲＱビットを複素数へ変換することと、上記複素数を用いて、ＤＭＲＳシーケンスを生成することと、生成される上記ＤＭＲＳシンボルシーケンスからのシンボルを、上記後続のサブフレームインターバルの１つ以上の直交的なＳＣ−ＦＤＭＡシンボルへマッピングすることと、を含む。
【０１１５】
また別の実施形態において、上記ＨＡＲＱフィードバック及び／又はＣＳＩを送信することは、チャネルコードを用いて、複数のＨＡＲＱフィードバックビット及び／又はＣＳＩビットを２４個のビットへ符号化することと、符号化された上記ビットをスクランブリングし、及び、スクランブリングされた符号化された上記ビットをＱＰＳＫ変調法を用いて変調して、１２個のＱＰＳＫシンボルを形成することと、上記１２個のＱＰＳＫシンボルをＤＦＴプリコーダへ入力して、ＯＦＤＭシンボルを形成することと、直交拡散シーケンスを用いて上記ＯＦＤＭシンボルを拡散して、２つ以上の拡散ＯＦＤＭシンボルを形成することと、上記後続のサブフレームインターバルのＯＦＤＭシンボルにおいて、上記２つ以上の拡散ＯＦＤＭシンボルを送信することと、を含む。それらのいくつかにおいて、及びいくつかの他の実施形態において、マルチキャリアｓＰＵＣＣＨが使用され、上記ＨＡＲＱフィードバック及び／又はＣＳＩを送信することは、２つの互いに素な（disjoint）周波数リソース領域を用いて同時にＨＡＲＱフィードバック情報及び／又はＣＳＩ情報を送信すること、を含む。
【０１１６】
図１７に示した方法１７００のいくつかの実施形態において、方法１７００は、上記第１のデータ送信信号についての１つ以上のＨＡＲＱフィードバックビットを、上記第１のワイヤレスデバイスにより受信される第２のデータ送信信号についての１つ以上の追加的なＨＡＲＱフィードバックビットとバンドリングすること、を含む。それら実施形態のいくつかにおいて、上記第２のデータ送信信号は、上記第１のサブフレームインターバル以外のサブフレームインターバルにおいて受信され、又は、上記第１のサブフレームインターバルの、上記第１のデータ送信信号が受信される部分とは異なる部分において受信される。いくつかの実施形態において、上記第２のデータ送信信号は、上記第１のデータ送信信号のために使用されるものとは異なる無線アクセス技術（ＲＡＴ）を用いて、上記第１のワイヤレスデバイスにより受信される。
【０１１７】
図１８は、ワイヤレスデバイスにおいて実装される、ここで説明した技法のいくつかに係る他の一般化された方法１８００を示しており、ワイヤレスデバイスは、第１のサブフレームにおいてデータ送信信号を送信し、後続のサブフレームにおいて受信されるＡＣＫ／ＮＡＣＫフィードバックにおいてその送信信号に対する確認応答を受信する。この方法は、例えば現に開示した技法を遂行するように適合されるＬＴＥ  ｅＮｏｄｅＢ内に実装され得る。
【０１１８】
ブロック１８１０に示したように、上記方法は、第１のサブフレームインターバルにおいて、第２のワイヤレスデバイスへ第１のデータ送信信号を送信すること、を含む。いくつかの例において又はいくつかの実施形態において、上記第１のデータ送信信号は、上記第１のサブフレームインターバルの範囲内で可能な最大データ送信時間長よりも小さい時間長の範囲内で送信される。ブロック１８２０に示したように、上記方法は、後続のサブフレームインターバルにおいて、上記後続のサブフレームインターバルの範囲内で可能な最大送信時間長よりも小さい時間長の範囲内で、上記第２のワイヤレスデバイスから、ＨＡＲＱフィードバック及び／又はＣＳＩを受信すること、をさらに含む。
【０１１９】
いくつかの実施形態において、上記後続のサブフレームインターバルの長さは、上記第２のワイヤレスデバイスへの送信のためのスケジューリング情報が上記第１のワイヤレスデバイスと上記第２のワイヤレスデバイスとの間で交換されるインターバルに相当する。
【０１２０】
いくつかの実施形態において、受信される上記ＨＡＲＱフィードバック及び／又はＣＳＩは、上記後続のサブフレームインターバルの２つのスロットのうち厳密に１つのスロットを占める。それら実施形態のいくつかにおいて、上記ＨＡＲＱフィードバック及び／又はＣＳＩを受信することは、２つのスロットのうちの上記１つのスロットのシンボルから、１２本のサブキャリアの４つのＳＣ−ＦＤＭＡシンボルをデマッピングすることと、上記４つのＳＣ−ＦＤＭＡシンボルから、長さ４の直交拡散コードを用いて、１２個の複素数の配列を逆拡散することと、サイクリックシフトされる長さ１２のシーケンスを用いて、上記１２個の複素数の配列から、複素値形式の数を逆拡散することと、上記複素値形式の数をＨＡＲＱデータの１つ又は２つのビットへ変換することと、を含む。それら実施形態の他のものにおいて、上記ＨＡＲＱフィードバック及び／又はＣＳＩを送信することは、２つのスロットのうちの上記１つのスロットの、対応するＳＣ−ＦＤＭＡシンボルから、１２個のＱＰＳＫシンボルの５つの配列の各々をデマッピングすることと、上記１２個のＱＰＳＫシンボルの５つの配列の各々をサイクリックシフトされる長さ１２のシーケンスで除算して、５つのＱＰＳＫシンボルを取得することと、ＱＰＳＫ変調法を用いて、上記５つのＱＰＳＫシンボルを復調して、１０個のスクランブリングされた符号化されたビットのセットを取得することと、上記スクランブリングされた符号化されたビットを逆スクランブリングして、１０個の符号化されたビットを取得することと、上記１０個の符号化されたビットを復号して、複数のＨＡＲＱビット及び／又はＣＳＩビットを取得することと、を含む。それら後者の実施形態のいくつかにおいて、上記方法は、２つのスロットのうちの上記１つのスロットの２つのＯＦＤＭシンボルから、ＤＭＲＳシンボルのシーケンスをデマッピングすることと、ＤＭＲＳシンボルの上記シーケンスを用いて、上記複素数を取得することと、上記複素数を１つ又は２つのＨＡＲＱビットへ変換することと、をさらに含む。
【０１２１】
また別の実施形態において、単一のスロットが使用され、上記ＨＡＲＱフィードバック及び／又はＣＳＩを送信することは、２つのスロットのうちの上記１つのスロットのＯＦＤＭシンボルにおいて、５つの拡散ＯＦＤＭシンボルを受信することと、長さ５の直交拡散シーケンスを用いて上記５つの拡散ＯＦＤＭシンボルを逆拡散して、逆拡散ＯＦＤＭシンボルを取得することと、上記ＯＦＤＭシンボルから、ＩＤＦＴを用いて、１２個のＱＰＳＫシンボルを取得することと、上記１２個のＱＰＳＫシンボルを復調して２４個のスクランブリングされた符号化されたビットを取得し、及び、上記スクランブリングされた符号化されたビットを逆スクランブリングして２４個の符号化されたビットを取得することと、上記２４個の符号化されたビットを復号して、複数のＨＡＲＱフィードバックビット及び／又はＣＳＩビットを取得することと、を含む。
【０１２２】
いくつかの実施形態において、上記後続のサブフレームインターバルは、複数の送信シンボルからなり、受信される上記ＨＡＲＱフィードバック及び／又はＣＳＩは、上記後続のサブフレームインターバルの上記送信シンボルのうちの全てではないいくつかを占める。それら実施形態のいくつかにおいて、上記後続のサブフレームインターバルは、２つのスロットからなり、各スロットは、複数の送信シンボルを含み、上記ＨＡＲＱフィードバック及び／又はＣＳＩの送信は、上記２つのスロットのうちの１つのスロットへ制限され、上記２つのスロットのうちの上記１つのスロット内の上記送信シンボルのうちの全てではないいくつかを占める。それら実施形態のいくつかにおいて、上記ＨＡＲＱフィードバック及び／又はＣＳＩを受信することは、２つのスロットのうちの上記１つのスロットのシンボルから、１２本のサブキャリアの２つ以上のＳＣ−ＦＤＭＡシンボルをデマッピングすることと、上記２つ以上のＳＣ−ＦＤＭＡシンボルから、直交拡散コードを用いて、１２個の複素数の配列を逆拡散することと、サイクリックシフトされる長さ１２のシーケンスを用いて、上記１２個の複素数の配列から、複素値形式の数を逆拡散することと、上記複素値形式の数をＨＡＲＱデータの１つ又は２つのビットへ変換することと、を含む。他のものにおいて、上記ＨＡＲＱフィードバック及び／又はＣＳＩを受信することは、上記後続のサブフレームインターバルの１つ以上のＳＣ−ＦＤＭＡシンボルから、ＤＭＲＳシンボルシーケンスをデマッピングすることと、デマッピングされた上記ＤＭＲＳシンボルシーケンスを用いて、複素数を取得することと、上記複素数を１つ又は２つのＨＡＲＱビットへ変換することと、を含む。また別のものにおいて、上記ＨＡＲＱフィードバック及び／又はＣＳＩを受信することは、２つのスロットのうちの上記１つのスロットのＯＦＤＭシンボルにおいて、２つ以上の拡散ＯＦＤＭシンボルを受信することと、直交拡散シーケンスを用いて上記２つ以上の拡散ＯＦＤＭシンボルを逆拡散して、逆拡散されたＯＦＤＭシンボルを取得することと、ＩＤＦＴを用いて、上記ＯＦＤＭシンボルから１２個のＱＰＳＫシンボルを取得することと、上記１２個のＱＰＳＫシンボルを復調して２４個のスクランブリングされた符号化されたビットを取得し、及び、上記スクランブリングされた符号化されたビットを逆スクランブリングして２４個の符号化されたビットを取得することと、上記２４個の符号化されたビットを復号して、複数のＨＡＲＱフィードバックビット及び／又はＣＳＩビットを取得することと、を含む。
【０１２３】
いくつかの実施形態において、上記ＨＡＲＱフィードバック及び／又はＣＳＩを受信することは、２つの互いに素な周波数リソース領域の各々から同時にＨＡＲＱフィードバック情報及び／又はＣＳＩ情報を受信すること、を含む。いくつかの実施形態において、上記方法は、受信される上記ＨＡＲＱフィードバック及び／又はＣＳＩから、上記第１のデータ送信信号についての１つ以上のＨＡＲＱフィードバックビットと、上記第２のワイヤレスデバイスへ送信される第２のデータ送信信号についての１つ以上の追加的なＨＡＲＱフィードバックビットとを逆バンドリングすること、をさらに含む。それら後者の実施形態のいくつかにおいて、上記第２のデータ送信信号は、上記第１のサブフレームインターバル以外のサブフレームインターバルにおいて送信され、若しくは、上記第１のサブフレームインターバルの、上記第１のデータ送信信号が受信される部分とは異なる部分において送信され、又は、上記第２のデータ送信信号は、上記第１のデータ送信信号のために使用されるものとは異なるＲＡＴを用いて、上記第２のワイヤレスデバイスへ送信される。
【０１２４】
上で議論した多様な技法における機能及びプロセスフロー図は、モバイル端末内に及び基地局内に提供され、又は複数のワイヤレスデバイス内に提供される電子データ処理回路を用いて実装されてもよい。各モバイル端末及び基地局は、当然ながら、ＬＴＥのフォーマット及びプロトコルなど、既知のフォーマット及びプロトコルに従ってフォーマット化される無線信号を受信し及び送信するための適切な無線回路をも含む。
【０１２５】
図１９は、いくつかの実施形態に係る一例としての無線基地局３０の図を示している。基地局３０は、ダウンリンク送信及びアップリンク受信のための、例えばＬＴＥエアインタフェースなどのエアインタフェースをワイヤレスデバイスへ提供し、それはアンテナ３４及び送受信回路３６を介して実装される。送受信回路３６は、送信機回路、受信機回路及び関連付けられる制御回路群を含んでよく、制御回路群は、セルラー通信サービスを提供する目的のために、無線アクセス技術に従って信号を送信し及び受信するようにまとめて構成される。多様な実施形態によれば、セルラー通信サービスは、３ＧＰＰセルラー標準、ＧＳＭ、ＧＰＲＳ（general  packet  radio  service）、ＷＣＤＭＡ（wideband  code  division  multiple  access）、ＨＳＤＰＡ（high-speed  downlink  packet  access）、ＬＴＥ及びＬＴＥアドバンスト、のうちの任意の１つ以上に従って運用されてよい。基地局３０は、ネットワークノード、他のピア無線ノード及び／又はネットワーク内の他のタイプのノードなどのコアネットワーク内のノードと通信するための通信インタフェース回路３８をも含んでよい。基地局３０は、例えばｅＮｏｄｅＢであってもよい。
【０１２６】
基地局３０は、通信インタフェース回路３８及び送受信機回路３６と動作可能に関連付けられる１つ以上の処理回路３２をも含む。処理回路３２は、例えば１つ以上のマイクロプロセッサ、マイクロコントローラ、ＤＳＰ（Digital  Signal  Processors）、ＦＰＧＡ（Field  Programmable  Gate  Arrays）、ＣＰＬＤ（Complex  Programmable  Logic  Devices）、ＡＳＩＣ（Application  Specific  Integrated  Circuits）、又はそれらの任意の混成などの、１つ以上のデジタルプロセッサ４２を含む。より一般的には、処理回路３２は、固定的な回路を含んでもよく、若しくはここで教示した機能性を実装するプログラム命令の実行を介して特別に構成されるプログラマブル回路を含んでもよく、又は、固定的な回路とプログラミングされる回路との何らかの混成を含んでもよい。プロセッサ３２は、マルチコアであってもよい。
【０１２７】
処理回路３２は、メモリ４４をも含む。メモリ４４は、いくつかの実施形態において、１つ以上のコンピュータプログラム４６を記憶し、オプションとして構成データ４８を記憶する。メモリ４４は、コンピュータプログラム４６のための非一時的なストレージを提供し、それはディスクストレージ、ソリッドステートメモリストレージ又はそれらの任意の混成など、１つ以上のタイプのコンピュータ読取可能な媒体を含み得る。非限定的な例として、メモリ４４は、ＳＲＡＭ、ＤＲＡＭ、ＥＥＰＲＯＭ及びＦＬＡＳＨメモリ、のうちの任意の１つ以上を含み、それらは、処理回路３２内にあってもよく、及び／又は処理回路３２とは別個であってもよい。概して、メモリ４４は、基地局３０により使用される、コンピュータプログラム４６及び任意の構成データ４８の非一時的なストレージを提供する、１つ以上のタイプのコンピュータ読取可能な記憶媒体を含む。
【０１２８】
プロセッサ４２は、メモリ４４内に記憶されるコンピュータプログラム４６を実行してもよく、コンピュータプログラム４６は、プロセッサ４２を、第１のサブフレームインターバルにおいて、ワイヤレスデバイスへ第１のデータ送信信号を送信し、後続のサブフレームインターバルにおいて、当該後続のサブフレームインターバルの範囲内で可能な最大送信時間長よりも小さい時間長の範囲内で、上記ワイヤレスデバイスから、ＨＡＲＱフィードバック及び／又はＣＳＩを受信する、ように構成する。この機能性は、処理回路３２内のデータ送信及びＨＡＲＱ処理回路４０により実行されてもよい。当然ながら、処理回路３２は、上述した方法の複数の変形例のうちのいずれを遂行するように構成されてもよい。
【０１２９】
図２０は、いくつかの実施形態に係る、ユーザ機器５０などのワイヤレスデバイスの図を示している。説明を容易にするために、ユーザ機器５０は、Ｍ２Ｍ（machine  to  machine）通信又はＭＴＣ（machine-type  communication）を行ういかなるワイヤレスデバイスを表すものと見なされてもよい。ユーザ機器５０は、アンテナ５４及び送受信機回路５６を介して、基地局３０などの無線ノード又は基地局と通信する。送受信機回路５６は、送信機回路、受信機回路及び関連付けられる制御回路群を含んでよく、制御回路群は、セルラー通信サービスを提供する目的のために、無線アクセス技術に従って信号を送信し及び受信するようにまとめて構成される。多様な実施形態によれば、セルラー通信サービスは、３ＧＰＰセルラー標準、ＧＳＭ、ＧＰＲＳ、ＷＣＤＭＡ、ＨＳＤＰＡ、ＬＴＥ及びＬＴＥアドバンスト、のうちの任意の１つ以上に従って運用されてよい。
【０１３０】
ユーザ機器５０は、無線送受信機回路５６と動作可能に関連付けられる１つ以上の処理回路５２をも含む。処理回路５２は、例えば１つ以上のマイクロプロセッサ、マイクロコントローラ、ＤＳＰ（Digital  Signal  Processors）、ＦＰＧＡ（Field  Programmable  Gate  Arrays）、ＣＰＬＤ（Complex  Programmable  Logic  Devices）、ＡＳＩＣ（Application  Specific  Integrated  Circuits）、又はそれらの任意の混成などの、１つ以上のデジタル処理回路を含む。より一般的には、処理回路５２は、固定的な回路を含んでもよく、若しくはここで教示した機能性を実装するプログラム命令の実行を介して特別に構成されるプログラマブル回路を含んでもよく、又は、固定的な回路とプログラミングされる回路との何らかの混成を含んでもよい。処理回路５２は、マルチコアであってもよい。
【０１３１】
処理回路５２は、メモリ６４をも含む。メモリ６４は、いくつかの実施形態において、１つ以上のコンピュータプログラム６６を記憶し、オプションとして構成データ６８を記憶する。メモリ６４は、コンピュータプログラム６６のための非一時的なストレージを提供し、それはディスクストレージ、ソリッドステートメモリストレージ又はそれらの任意の混成など、１つ以上のタイプのコンピュータ読取可能な媒体を含み得る。非限定的な例として、メモリ６４は、ＳＲＡＭ、ＤＲＡＭ、ＥＥＰＲＯＭ及びＦＬＡＳＨメモリ、のうちの任意の１つ以上を含み、それらは、処理回路５２内にあってもよく、及び／又は処理回路５２とは別個であってもよい。概して、メモリ６４は、ユーザ機器５０により使用される、コンピュータプログラム６６及び任意の構成データ６８の非一時的なストレージを提供する、１つ以上のタイプのコンピュータ読取可能な記憶媒体を含む。
【０１３２】
処理回路５２のプロセッサ６２は、メモリ６４内に記憶されるコンピュータプログラム６６を実行してもよく、コンピュータプログラム６６は、プロセッサ６２を、第１のサブフレームインターバルにおいて、基地局３０などの第２のワイヤレスデバイスからの第１のデータ送信信号を受信し、後続のサブフレームインターバルにおいて、当該後続のサブフレームインターバルの範囲内で可能な最大送信時間長よりも小さい時間長の範囲内で、第２のワイヤレスデバイスへＨＡＲＱフィードバック及び／又はＣＳＩを送信する、ように構成する。この構造及び機能性は、処理回路５２内のデータ受信及びＨＡＲＱフィードバック回路６０として言及されてもよい。当然ながら、処理回路５２は、上述した方法の複数の変形例のうちのいずれを遂行するように構成されてもよい。
【０１３３】
図２１は、例えば処理回路４０に基づく、基地局３０内に実装され得るような一例としての機能モジュール又は回路アーキテクチャを示している。図示した実施形態は、少なくとも機能的に、第１のサブフレームインターバルにおいて、第２のワイヤレスデバイスへ第１のデータ送信信号を送信するための送信モジュール２１０２、を含む。当該実施形態は、後続のサブフレームインターバルにおいて、当該後続のサブフレームインターバルの範囲内で可能な最大送信時間長よりも小さい時間長の範囲内で、第２のワイヤレスデバイスから、ＨＡＲＱフィードバック及び／又はＣＳＩを受信するための受信モジュール２１０６をも含む。図示した実施形態は、例えば第２のワイヤレスデバイスからのＨＡＲＱフィードバックを受信するための送信時間を判定するための判定モジュール２１０４、をも含む。
【０１３４】
図２２は、例えば処理回路６０に基づく、ユーザ機器５０内に実装され得るような一例としての機能モジュール又は回路アーキテクチャを示している。図示した実施形態は、少なくとも機能的に、第１のサブフレームインターバルにおいて、第２のワイヤレスデバイスからの第１のデータ送信信号を受信するための受信モジュール２２０２、を含む。当該実施形態は、後続のサブフレームインターバルにおいて、当該後続のサブフレームインターバルの範囲内で可能な最大送信時間長よりも小さい時間長の範囲内で、第２のワイヤレスデバイスへ、ＨＡＲＱフィードバック及び／又はＣＳＩを送信するための送信モジュール２２０６、をも含む。図示した実施形態は、判定モジュール２２０４をも含み、このモジュールは、例えば第２のワイヤレスデバイスへのＨＡＲＱフィードバックを送信するための送信時間を判定するように構成され得る。
【０１３５】
当業者により理解されるであろうこととして、上述した実施形態に対し、現に説明した技法のスコープから逸脱することなく、多様な修正がなされてよい。例えば、上の実施形態は３ＧＰＰネットワークの複数の部分を参照しながら説明されているものの、他の実施形態は類似の機能コンポーネントを有する３ＧＰＰネットワークの後継などの類似のネットワークにも適用可能となることが容易に理解されるであろう。従って、特に、上の説明において及び添付図面において、並びに、現在の又は将来の添付の特許請求の範囲において使用される３ＧＰＰとの用語及び関連付けられ又は関連する用語は、それに応じて解釈されるべきである。
【０１３６】
上の議論において、限定ではなく説明の目的のために、現に開示した技法の具体的な実施形態の特定の詳細が呈示されている。当業者により理解されるであろうこととして、それら特定の詳細とは別の他の実施形態が採用されてもよい。さらに、いくつかの例において、よく知られた方法、ノード、インタフェース、回路及びデバイスの詳細な説明は、不必要な詳細で説明を曖昧にしないために省略されている。当業者は、説明した機能が１つ又は複数のノードで実装されてもよいことを理解するであろう。説明した機能のいくつか又は全てが、特殊化された機能を実行するように相互接続されるアナログ及び／又は離散ロジックゲート、ＡＳＩＣ、ＰＬＡなどといったハードウェア回路を用いて実装されてもよい。同様に、上記機能のいくつか又は全てが、１つ以上のデジタルマイクロプロセッサ又は汎用コンピュータと併せて、ソフトウェアプログラム及びデータを用いて実装されてもよい。エアインタフェースを用いて通信するノードが説明されている状況では、それらノードが適切な無線通信回路をも有することが理解されるであろう。そのうえ、上記技術は、追加的に、ここで説明した技法をプロセッサに遂行させる適切なコンピュータ命令のセットを収容する、ソリッドステートメモリ、磁気ディスク又は光ディスクなどの非一時的な実施形態を含むいかなる形式のコンピュータ読取可能なメモリ内で、全体として具現化されるものと見なされることができる。
【０１３７】
ハードウェア実装は、限定ではなく、ＤＳＰ（digital  signal  processor）ハードウェア、削減命令セットプロセッサ、限定ではないもののＡＳＩＣ及び／又はＦＰＧＡを含むハードウェア（例えば、デジタル若しくはアナログ）回路、及び（適切ならば）上記機能を実行可能なステートマシンを含み又は包含し得る。
【０１３８】
コンピュータ実装の観点において、コンピュータは、概して、１つ以上のプロセッサ又は１つ以上のコントローラを含むものと理解され、コンピュータ、プロセッサ及びコントローラとの用語が互換可能に採用されてよい。コンピュータ、プロセッサ又はコントローラにより提供される場合、上記機能は、単一の専用のコンピュータ、プロセッサ若しくはコントローラにより提供されてもよく、共有される単一のコンピュータ、プロセッサ若しくはコントローラにより提供されてもよく、又は、複数の個別のコンピュータ、プロセッサ若しくはコントローラにより提供されてもよく、それらのいくつかが共有され若しくは分散されてもよい。そのうえ、“プロセッサ”又は“コントローラ”との用語は、上に挙げた例示的なハードウェアなどの、上記機能を実行可能であり及び／又はソフトウェアを実行可能な他のハードウェアをもいう。
【０１３９】
当然ながら、複数のコンポーネント又は技法のあらゆる想到可能な組み合わせを説明することは不可能であるため、上述した技法の本質的な特徴から逸脱することなく、ここに具体的に呈示したもの以外の手法でそれら技法を実装できることを、当業者は理解するであろう。よって、呈示した実施形態は、全ての点において説明的であって限定的ではないものと見なされるべきである。
【図１】
2018514972.tif 000018
【図２】
2018514972.tif 000019
【図３】
2018514972.tif 000020
【図４】
2018514972.tif 000021
【図５】
2018514972.tif 000022
【図６】
2018514972.tif 000023
【図７】
2018514972.tif 000024
【図８】
2018514972.tif 000025
【図９】
2018514972.tif 000026
【図１０】
2018514972.tif 000027
【図１１】
2018514972.tif 000028
【図１２】
2018514972.tif 000029
【図１３】
2018514972.tif 000030
【図１４】
2018514972.tif 000031
【図１５】
2018514972.tif 000032
【図１６】
2018514972.tif 000033
【図１７】
2018514972.tif 000034
【図１８】
2018514972.tif 000035
【図１９】
2018514972.tif 000036
【図２０】
2018514972.tif 000037
【図２１】
2018514972.tif 000038
【図２２】
2018514972.tif 000039
【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
第１のワイヤレスデバイス（５０）における方法（１７００）であって、
第１のサブフレームインターバルにおいて、第２のワイヤレスデバイス（３０）からの第１のデータ送信信号を受信すること（１７１０）と、
前記第１のデータ送信信号は、前記第１のサブフレームインターバルの範囲内で可能な最大データ送信時間長よりも小さい時間長の範囲内で受信されることと、
複数の送信シンボルからなる後続のサブフレームインターバルにおいて、前記第２のワイヤレスデバイス（３０）へ、ハイブリッド自動再送要求（ＨＡＲＱ）フィードバック及び／又はチャネル状態情報（ＣＳＩ）を送信すること（１７２０）と、
前記ＨＡＲＱフィードバック及び／又はＣＳＩの前記送信は、前記後続のサブフレームインターバル内の２つのスロットのうち厳密に１つのスロットか又は前記２つのスロットのうち前記１つのスロット内の前記送信シンボルの全てではないいくつか、のいずれかを占めることと、
を含む方法（１７００）。
【請求項２】
各スロットは、７つのＯＦＤＭシンボルからなり、及び／又は０．５ｍｓの時間長を有する、請求項１の方法（１７００）。
【請求項３】
前記ＨＡＲＱフィードバック及び／又はＣＳＩを送信すること（１７２０）は、
ＨＡＲＱデータの１つ又は２つのビットを複素値形式の数へ変換することと、
サイクリックシフトされる長さ１２のシーケンスを用いて、１２本のサブキャリアにわたって前記複素値形式の数を拡散して、１２個の複素数の配列を形成することと、
前記１２個の複素数の配列を、１２本のサブキャリアの４つのシングルキャリア周波数分割多重アクセス（ＳＣ−ＦＤＭＡ）シンボルへ、長さ４の直交拡散コードを用いて拡散することと、
前記４つのＳＣ−ＦＤＭＡシンボルを２つのスロットのうちの前記１つのスロットのシンボルへマッピングすることと、
を含む、請求項１又は２の方法（１７００）。
【請求項４】
前記ＨＡＲＱフィードバック及び／又はＣＳＩを送信すること（１７２０）は、
チャネルコードを用いて、複数のＨＡＲＱビット及び／又はＣＳＩビットを１０個のビットへ符号化することと、
符号化された前記ビットをスクランブリングすることと、
スクランブリングされた符号化された前記ビットを、四位相偏移変調（ＱＰＳＫ）変調法を用いて変調して、５つのＱＰＳＫシンボルを形成することと、
前記５つのＱＰＳＫシンボルの各々をサイクリックシフトされる長さ１２のシーケンスと乗算して、１２個のＱＰＳＫシンボルの５つの配列を取得することと、
１２個のＱＰＳＫシンボルの前記５つの配列の各々を、２つのスロットのうちの前記１つのスロットの、対応するシングルキャリア周波数分割多重アクセス（ＳＣ−ＦＤＭＡ）シンボルへマッピングすることと、
を含む、請求項１又は２の方法（１７００）。
【請求項５】
１つ又は２つのＨＡＲＱビットを複素数へ変換することと、
前記複素数を用いて、復調リファレンスシンボル（ＤＭＲＳ）シーケンスを生成することと、
生成される前記ＤＭＲＳシンボルシーケンスからのシンボルを、２つのスロットのうちの前記１つのスロットの、２つのＳＣ−ＦＤＭＡシンボルへマッピングすることと、
をさらに含む、請求項４の方法（１７００）。
【請求項６】
前記ＨＡＲＱフィードバック及び／又はＣＳＩを送信すること（１７２０）は、
チャネルコードを用いて、複数のＨＡＲＱフィードバックビット及び／又はＣＳＩビットを２４個のビットへ符号化することと、
符号化された前記ビットをスクランブリングし、及び、スクランブリングされた符号化された前記ビットを四位相偏移変調（ＱＰＳＫ）変調法を用いて変調して、１２個のＱＰＳＫシンボルを形成することと、
前記１２個のＱＰＳＫシンボルを離散フーリエ変換（ＤＦＴ）プリコーダへ入力して、ＤＦＴ拡散ＯＦＤＭ（ＤＦＴＳ−ＯＦＤＭ）シンボルを形成することと、
長さ５の直交拡散シーケンスを用いて前記ＯＦＤＭシンボルを拡散して、５つのＤＦＴＳ−ＯＦＤＭシンボルを形成することと、
２つのスロットのうちの前記１つのスロットのＯＦＤＭシンボルにおいて、前記５つのＤＦＴＳ−ＯＦＤＭシンボルを送信することと、
を含む、請求項１又は２の方法（１７００）。
【請求項７】
前記後続のサブフレームインターバルは、２つのスロットからなり、各スロットは、複数の送信シンボルを含み、前記ＨＡＲＱフィードバック及び／又はＣＳＩの前記送信は、前記２つのスロットのうちの１つのスロットへ制限され、前記２つのスロットのうちの前記１つのスロット内の前記送信シンボルのうちの全てではないいくつかを占める、請求項１又は２の方法（１７００）。
【請求項８】
前記ＨＡＲＱフィードバック及び／又はＣＳＩを送信すること（１７２０）は、
ＨＡＲＱデータの１つ又は２つのビットを複素値形式の数へ変換することと、
サイクリックシフトされる長さ１２のシーケンスを用いて、１２本のサブキャリアにわたって前記複素値形式の数を拡散して、１２個の複素数の配列を形成することと、
前記１２個の複素数の配列を、１２本のサブキャリアの２つ以上のシングルキャリア周波数分割多重アクセス（ＳＣ−ＦＤＭＡ）シンボルへ、直交拡散コードを用いて拡散することと、
前記２つ以上のＳＣ−ＦＤＭＡシンボルを前記後続のサブフレームインターバルのシンボルへマッピングすることと、
を含む、請求項１、２又は７の方法（１７００）。
【請求項９】
前記ＨＡＲＱフィードバック及び／又はＣＳＩを送信すること（１７２０）は、
１つ又は２つのＨＡＲＱビットを複素数へ変換することと、
前記複素数を用いて、復調リファレンスシンボル（ＤＭＲＳ）シーケンスを生成することと、
生成される前記ＤＭＲＳシンボルシーケンスからのシンボルを、前記後続のサブフレームインターバルの１つ以上の直交的なシングルキャリア周波数分割多重アクセス（ＳＣ−ＦＤＭＡ）シンボルへマッピングすることと、
を含む、請求項１、２又は７の方法（１７００）。
【請求項１０】
前記ＨＡＲＱフィードバック及び／又はＣＳＩを送信すること（１７２０）は、
チャネルコードを用いて、複数のＨＡＲＱフィードバックビット及び／又はＣＳＩビットを２４個のビットへ符号化することと、
符号化された前記ビットをスクランブリングし、及び、スクランブリングされた符号化された前記ビットを四位相偏移変調（ＱＰＳＫ）変調法を用いて変調して、１２個のＱＰＳＫシンボルを形成することと、
前記１２個のＱＰＳＫシンボルを離散フーリエ変換（ＤＦＴ）プリコーダへ入力して、ＯＦＤＭシンボルを形成することと、
直交拡散シーケンスを用いて前記ＯＦＤＭシンボルを拡散して、２つ以上の拡散ＯＦＤＭシンボルを形成することと、
前記後続のサブフレームインターバルのＯＦＤＭシンボルにおいて、前記２つ以上の拡散ＯＦＤＭシンボルを送信することと、
を含む、請求項１、２又は７の方法（１７００）。
【請求項１１】
前記ＨＡＲＱフィードバック及び／又はＣＳＩを送信すること（１７２０）は、２つの互いに素な周波数リソース領域を用いて同時にＨＡＲＱフィードバック情報及び／又はＣＳＩ情報を送信すること、を含む、請求項１、２、６、７及び１０のいずれかの方法（１７００）。
【請求項１２】
前記方法（１７００）は、前記第１のデータ送信信号についての１つ以上のＨＡＲＱフィードバックビットを、前記第１のワイヤレスデバイス（５０）により受信される第２のデータ送信信号についての１つ以上の追加的なＨＡＲＱフィードバックビットとバンドリングすること、を含む、請求項１〜１１のいずれかの方法（１７００）。
【請求項１３】
前記第２のデータ送信信号は、前記第１のサブフレームインターバル以外のサブフレームインターバルにおいて受信され、又は、前記第１のサブフレームインターバルの、前記第１のデータ送信信号が受信される部分とは異なる部分において受信される、請求項１２の方法（１７００）。
【請求項１４】
前記第２のデータ送信信号は、前記第１のデータ送信信号のために使用されるものとは異なる無線アクセス技術（ＲＡＴ）を用いて、前記第１のワイヤレスデバイス（５０）により受信される、請求項１２の方法（１７００）。
【請求項１５】
第１のワイヤレスデバイス（３０）における方法（１８００）であって、
第１のサブフレームインターバルにおいて、第２のワイヤレスデバイス（５０）へ第１のデータ送信信号を送信すること（１８１０）と、
前記第１のデータ送信信号は、前記第１のサブフレームインターバルの範囲内で可能な最大データ送信時間長よりも小さい時間長の範囲内で送信されることと、
複数の送信シンボルからなる後続のサブフレームインターバルにおいて、前記第２のワイヤレスデバイス（５０）から、ハイブリッド自動再送要求（ＨＡＲＱ）フィードバック及び／又はチャネル状態情報（ＣＳＩ）を受信すること（１８２０）と、
前記ＨＡＲＱフィードバック及び／又はＣＳＩの送信は、前記後続のサブフレームインターバル内の２つのスロットのうち厳密に１つのスロットか又は前記２つのスロットのうち前記１つのスロット内の前記送信シンボルの全てではないいくつか、のいずれかを占めることと、
を含む方法（１８００）。
【請求項１６】
前記後続のサブフレームインターバルの長さは、前記第２のワイヤレスデバイス（５０）への送信のためのスケジューリング情報が前記第１のワイヤレスデバイス（３０）と前記第２のワイヤレスデバイス（５０）との間で交換されるインターバルに相当する、請求項１５の方法（１８００）。
【請求項１７】
前記ＨＡＲＱフィードバック及び／又はＣＳＩを受信すること（１８２０）は、
２つのスロットのうちの前記１つのスロットのシンボルから、１２本のサブキャリアの４つのシングルキャリア周波数分割多重アクセス（ＳＣ−ＦＤＭＡ）シンボルをデマッピングすることと、
前記４つのＳＣ−ＦＤＭＡシンボルから、長さ４の直交拡散コードを用いて、１２個の複素数の配列を逆拡散することと、
サイクリックシフトされる長さ１２のシーケンスを用いて、前記１２個の複素数の配列から、複素値形式の数を逆拡散することと、
前記複素値形式の数をＨＡＲＱデータの１つ又は２つのビットへ変換することと、
を含む、請求項１５又は１６の方法（１８００）。
【請求項１８】
前記ＨＡＲＱフィードバック及び／又はＣＳＩを受信すること（１８２０）は、
２つのスロットのうちの前記１つのスロットの、対応するシングルキャリア周波数分割多重アクセス（ＳＣ−ＦＤＭＡ）シンボルから、１２個の四位相偏移変調（ＱＰＳＫ）シンボルの５つの配列の各々をデマッピングすることと、
前記１２個のＱＰＳＫシンボルの５つの配列の各々をサイクリックシフトされる長さ１２のシーケンスで除算して、５つのＱＰＳＫシンボルを取得することと、
四位相偏移変調（ＱＰＳＫ）変調法を用いて、前記５つのＱＰＳＫシンボルを復調して、１０個のスクランブリングされた符号化されたビットのセットを取得することと、
前記スクランブリングされた符号化されたビットを逆スクランブリングして、１０個の符号化されたビットを取得することと、
前記１０個の符号化されたビットを復号して、複数のＨＡＲＱビット及び／又はＣＳＩビットを取得することと、
を含む、請求項１５又は１６の方法（１８００）。
【請求項１９】
２つのスロットのうちの前記１つのスロットの２つのＯＦＤＭシンボルから、復調リファレンスシンボル（ＤＭＲＳ）シンボルのシーケンスをデマッピングすることと、
ＤＭＲＳシンボルの前記シーケンスを用いて、複素数を取得することと、
前記複素数を１つ又は２つのＨＡＲＱビットへ変換することと、
をさらに含む、請求項１８の方法（１８００）。
【請求項２０】
前記ＨＡＲＱフィードバック及び／又はＣＳＩを受信すること（１８２０）は、
２つのスロットのうちの前記１つのスロットの直交周波数分割多重（ＯＦＤＭ）シンボルにおいて、５つの拡散ＯＦＤＭシンボルを受信することと、
長さ５の直交拡散シーケンスを用いて前記５つの拡散ＯＦＤＭシンボルを逆拡散して、逆拡散ＯＦＤＭシンボルを取得することと、
前記ＯＦＤＭシンボルから、逆離散フーリエ変換（ＩＤＦＴ）を用いて、１２個の四位相偏移変調（ＱＰＳＫ）シンボルを取得することと、
前記１２個のＱＰＳＫシンボルを復調して２４個のスクランブリングされた符号化されたビットを取得し、及び、前記スクランブリングされた符号化されたビットを逆スクランブリングして２４個の符号化されたビットを取得することと、
前記２４個の符号化されたビットを復号して、複数のＨＡＲＱフィードバックビット及び／又はＣＳＩビットを取得することと、
を含む、請求項１５又は１６の方法（１８００）。
【請求項２１】
前記後続のサブフレームインターバルは、２つのスロットからなり、各スロットは、複数の送信シンボルを含み、前記ＨＡＲＱフィードバック及び／又はＣＳＩの前記送信は、前記２つのスロットのうちの１つのスロットへ制限され、前記２つのスロットのうちの前記１つのスロット内の前記送信シンボルのうちの全てではないいくつかを占める、請求項１５の方法（１８００）。
【請求項２２】
前記ＨＡＲＱフィードバック及び／又はＣＳＩを受信すること（１８２０）は、
２つのスロットのうちの前記１つのスロットのシンボルから、１２本のサブキャリアの２つ以上のシングルキャリア周波数分割多重アクセス（ＳＣ−ＦＤＭＡ）シンボルをデマッピングすることと、
前記２つ以上のＳＣ−ＦＤＭＡシンボルから、直交拡散コードを用いて、１２個の複素数の配列を逆拡散することと、
サイクリックシフトされる長さ１２のシーケンスを用いて、前記１２個の複素数の配列から、複素値形式の数を逆拡散することと、
前記複素値形式の数をＨＡＲＱデータの１つ又は２つのビットへ変換することと、
を含む、請求項２１の方法（１８００）。
【請求項２３】
前記ＨＡＲＱフィードバック及び／又はＣＳＩを受信すること（１８２０）は、
前記後続のサブフレームインターバルの１つ以上のシングルキャリア周波数分割多重アクセス（ＳＣ−ＦＤＭＡ）シンボルから、復調リファレンスシンボル（ＤＭＲＳ）シンボルシーケンスをデマッピングすることと、
デマッピングされた前記ＤＭＲＳシンボルシーケンスを用いて、複素数を取得することと、
前記複素数を１つ又は２つのＨＡＲＱビットへ変換することと、
を含む、請求項２１の方法（１８００）。
【請求項２４】
前記ＨＡＲＱフィードバック及び／又はＣＳＩを受信すること（１８２０）は、
２つのスロットのうちの前記１つのスロットの直交周波数分割多重（ＯＦＤＭ）シンボルにおいて、２つ以上の拡散ＯＦＤＭシンボルを受信することと、
直交拡散シーケンスを用いて前記２つ以上の拡散ＯＦＤＭシンボルを逆拡散して、逆拡散されたＯＦＤＭシンボルを取得することと、
逆離散フーリエ変換（ＩＤＦＴ）を用いて、前記ＯＦＤＭシンボルから１２個の四位相偏移変調（ＱＰＳＫ）シンボルを取得することと、
前記１２個のＱＰＳＫシンボルを復調して２４個のスクランブリングされた符号化されたビットを取得し、及び、前記スクランブリングされた符号化されたビットを逆スクランブリングして２４個の符号化されたビットを取得することと、
前記２４個の符号化されたビットを復号して、複数のＨＡＲＱフィードバックビット及び／又はＣＳＩビットを取得することと、
を含む、請求項２１の方法（１８００）。
【請求項２５】
前記ＨＡＲＱフィードバック及び／又はＣＳＩを受信すること（１８２０）は、２つの互いに素な周波数リソース領域の各々から同時にＨＡＲＱフィードバック情報及び／又はＣＳＩ情報を受信すること、を含む、請求項１５、１６、２０、２１及び２４のいずれかの方法（１８００）。
【請求項２６】
前記方法は、受信される前記ＨＡＲＱフィードバック及び／又はＣＳＩから、前記第１のデータ送信信号についての１つ以上のＨＡＲＱフィードバックビットと、前記第２のワイヤレスデバイス（５０）へ送信される第２のデータ送信信号についての１つ以上の追加的なＨＡＲＱフィードバックビットとを逆バンドリングすること、をさらに含む、請求項１５〜２５のいずれかの方法（１８００）。
【請求項２７】
前記第２のデータ送信信号は、前記第１のサブフレームインターバル以外のサブフレームインターバルにおいて送信され、又は、前記第１のサブフレームインターバルの、前記第１のデータ送信信号が受信される部分とは異なる部分において送信される、請求項２６の方法（１８００）。
【請求項２８】
前記第２のデータ送信信号は、前記第１のデータ送信信号のために使用されるものとは異なる無線アクセス技術（ＲＡＴ）を用いて、前記第２のワイヤレスデバイス（５０）へ送信される、請求項２６の方法（１８００）。
【請求項２９】
ワイヤレスデバイス（３０，５０）内の処理回路（３２，５２）により実行された場合に、前記ワイヤレスデバイス（３０，５０）に請求項１〜２８の方法（１７００，１８００）のいずれかを遂行させるプログラム命令、を含むコンピュータプログラム。
【請求項３０】
請求項２９のコンピュータプログラムを記憶した、非一時的なコンピュータ読取可能な媒体（４４，６４）。
【請求項３１】
第１のサブフレームインターバルにおいて、第２のワイヤレスデバイス（３０）からの第１のデータ送信信号を、前記第１のサブフレームインターバルの範囲内で可能な最大データ送信時間長よりも小さい時間長の範囲内で受信するための受信モジュール（２２０２）と、
複数の送信シンボルからなる後続のサブフレームインターバルにおいて、前記第２のワイヤレスデバイス（３０）へ、ハイブリッド自動再送要求（ＨＡＲＱ）フィードバック及び／又はチャネル状態情報（ＣＳＩ）を送信するための送信モジュール（２２０６）と、
を備え、
前記ＨＡＲＱフィードバック及び／又はＣＳＩの前記送信は、前記後続のサブフレームインターバル内の２つのスロットのうち厳密に１つのスロットか又は前記２つのスロットのうち前記１つのスロット内の前記送信シンボルの全てではないいくつか、のいずれかを占める、
第１のワイヤレスデバイス（５０）。
【請求項３２】
第１のサブフレームインターバルにおいて、第２のワイヤレスデバイス（５０）へ第１のデータ送信信号を、前記第１のサブフレームインターバルの範囲内で可能な最大データ送信時間長よりも小さい時間長の範囲内で送信するための送信モジュール（２１０２）と、
複数の送信シンボルからなる後続のサブフレームインターバルにおいて、前記第２のワイヤレスデバイス（５０）から、ハイブリッド自動再送要求（ＨＡＲＱ）フィードバック及び／又はチャネル状態情報（ＣＳＩ）を受信するための受信モジュール（２１０６）と、
を備え、
前記ＨＡＲＱフィードバック及び／又はＣＳＩの送信は、前記後続のサブフレームインターバル内の２つのスロットのうち厳密に１つのスロットか又は前記２つのスロットのうち前記１つのスロット内の前記送信シンボルの全てではないいくつか、のいずれかを占める、
第１のワイヤレスデバイス（３０）。
【手続補正２】
【補正対象書類名】明細書
【補正対象項目名】０００２
【補正方法】変更
【補正の内容】
【０００２】
エラー制御のために、３ＧＰＰ（3rd-Generation  Partnership  Project）のメンバにより標準化された“Long-Term  Evolution”として知られる第４世代（４Ｇ）ワイヤレスシステムは、ハイブリッドＡＲＱ（hybrid-ARQ）を使用する。サブフレーム内でダウンリンクデータを受信した後、モバイル端末は、その復号を試行し、物理アップリンク制御チャネル（ＰＵＣＣＨ）を介して基地局へ復号が成功したか（ＡＣＫ）否か（ＮＡＣＫ）をレポートする。復号試行が失敗した場合、基地局（ｅＮｏｄｅＢ又はｅＮＢ）は、エラーのあったデータを再送することができる。同様に、基地局は、物理アップリンク共有チャネル（ＰＵＳＣＨ）の復号が成功したか（ＡＣＫ）否か（ＮＡＣＫ）を物理ハイブリッドＡＲＱインジケータチャネル（ＰＨＩＣＨ）を介してモバイル端末へ指し示すことができる。
【手続補正３】
【補正対象書類名】明細書
【補正対象項目名】０１２０
【補正方法】変更
【補正の内容】
【０１２０】
いくつかの実施形態において、受信される上記ＨＡＲＱフィードバック及び／又はＣＳＩは、上記後続のサブフレームインターバルの２つのスロットのうち厳密に１つのスロットを占める。それら実施形態のいくつかにおいて、上記ＨＡＲＱフィードバック及び／又はＣＳＩを受信することは、２つのスロットのうちの上記１つのスロットのシンボルから、１２本のサブキャリアの４つのＳＣ−ＦＤＭＡシンボルをデマッピングすることと、上記４つのＳＣ−ＦＤＭＡシンボルから、長さ４の直交拡散コードを用いて、１２個の複素数の配列を逆拡散することと、サイクリックシフトされる長さ１２のシーケンスを用いて、上記１２個の複素数の配列から、複素値形式の数を逆拡散することと、上記複素値形式の数をＨＡＲＱデータの１つ又は２つのビットへ変換することと、を含む。それら実施形態の他のものにおいて、上記ＨＡＲＱフィードバック及び／又はＣＳＩを受信することは、２つのスロットのうちの上記１つのスロットの、対応するＳＣ−ＦＤＭＡシンボルから、１２個のＱＰＳＫシンボルの５つの配列の各々をデマッピングすることと、上記１２個のＱＰＳＫシンボルの５つの配列の各々をサイクリックシフトされる長さ１２のシーケンスで除算して、５つのＱＰＳＫシンボルを取得することと、ＱＰＳＫ変調法を用いて、上記５つのＱＰＳＫシンボルを復調して、１０個のスクランブリングされた符号化されたビットのセットを取得することと、上記スクランブリングされた符号化されたビットを逆スクランブリングして、１０個の符号化されたビットを取得することと、上記１０個の符号化されたビットを復号して、複数のＨＡＲＱビット及び／又はＣＳＩビットを取得することと、を含む。それら後者の実施形態のいくつかにおいて、上記方法は、２つのスロットのうちの上記１つのスロットの２つのＯＦＤＭシンボルから、ＤＭＲＳシンボルのシーケンスをデマッピングすることと、ＤＭＲＳシンボルの上記シーケンスを用いて、上記複素数を取得することと、上記複素数を１つ又は２つのＨＡＲＱビットへ変換することと、をさらに含む。
【手続補正４】
【補正対象書類名】明細書
【補正対象項目名】０１２１
【補正方法】変更
【補正の内容】
【０１２１】
また別の実施形態において、単一のスロットが使用され、上記ＨＡＲＱフィードバック及び／又はＣＳＩを受信することは、２つのスロットのうちの上記１つのスロットのＯＦＤＭシンボルにおいて、５つの拡散ＯＦＤＭシンボルを受信することと、長さ５の直交拡散シーケンスを用いて上記５つの拡散ＯＦＤＭシンボルを逆拡散して、逆拡散ＯＦＤＭシンボルを取得することと、上記ＯＦＤＭシンボルから、ＩＤＦＴを用いて、１２個のＱＰＳＫシンボルを取得することと、上記１２個のＱＰＳＫシンボルを復調して２４個のスクランブリングされた符号化されたビットを取得し、及び、上記スクランブリングされた符号化されたビットを逆スクランブリングして２４個の符号化されたビットを取得することと、上記２４個の符号化されたビットを復号して、複数のＨＡＲＱフィードバックビット及び／又はＣＳＩビットを取得することと、を含む。
【国際調査報告】
2018514972.tif 000040
2018514972.tif 000041
2018514972.tif 000042